(57)【要約】【課題】ユーザの購買意欲を喚起する。【解決手段】ユーザが使用可能な環境が限定されたローカルクレジットのトランザクションの額を示すトランザクション要求額及びユーザに固有の識別情報を含むトランザクション要求を受信する要求受信部と、第１クレジットの残高を示す第１残高、及び、使用目的が第１クレジットよりも制限された第２クレジットの残高を示す第２残高を識別情報に対応づけて記憶する記憶部と、上記の識別情報に対応する第１残高及び第２残高とトランザクション要求額とを比較した結果に基づいて、トランザクションの可否を判定する判定部と、判定部がトランザクションを可能であると判定すると、トランザクション要求額に基づいて、記憶部が記憶している第１残高及び第２残高を更新する管理部とを有するトランザクション管理装置を提供する。【選択図】図１Ａ
2013175918.tif 000002
【特許請求の範囲】
【請求項１】
ユーザが使用可能な環境が限定されたローカルクレジットのトランザクションを管理するトランザクション管理装置であって、
現金からの交換、及び、現金への交換の少なくとも１つが可能な第１クレジットの残高を示す第１残高、並びに、現金からの交換、及び、現金への交換のいずれもができない第２クレジットの残高を示す第２残高を前記ユーザに固有の識別情報に対応づけて記憶する記憶部と、
前記識別情報と、前記第１残高を使用する額を示す第１トランザクション要求額、及び前記第２残高を使用する額を示す第２トランザクション要求額を含むトランザクション要求額と、を含むトランザクション要求を受信する要求受信部と、
前記識別情報に対応する前記第１残高と前記第１トランザクション要求額とを比較した結果、及び前記第２残高と前記第２トランザクション要求額とを比較した結果に基づいて、前記トランザクションの可否を判定する判定部と、
前記判定部が前記トランザクションを可能であると判定すると、前記トランザクション要求額に基づいて、前記記憶部が記憶している前記第１残高及び前記第２残高のうちの少なくとも１つを更新する管理部と、
を備えるトランザクション管理装置。
【請求項２】
前記判定部は、前記第１残高及び前記第２残高の合計額と前記トランザクション要求額とを比較した結果に少なくとも基づいて、前記トランザクションの可否を判定する請求項１に記載のトランザクション管理装置。
【請求項３】
前記管理部は、前記第１クレジットが現金を交換して得られた場合、前記第１クレジットの現金への交換を許可し、前記前記第１クレジットがクレジットカードにより得られた場合、前記第１クレジットの前記現金への交換を許可しないと判断する請求項１又は２に記載のトランザクション管理装置。
【請求項４】
前記判定部は、前記第１トランザクション要求額と前記識別情報に対応する前記第１残高とを比較した結果、及び、前記第２トランザクション要求額と前記識別情報に対応する前記第２残高とを比較した結果の少なくとも１つに基づいて、前記トランザクションの可否を判定し、
前記管理部は、前記判定部が、前記トランザクションが可能であると判定すると、前記記憶部が記憶している前記第１残高の前記第１トランザクション要求額に応じた変更、及び、前記記憶部が記憶している前記第２残高の前記第２トランザクション要求額に応じた変更の少なくとも１つを実行する請求項１から３のいずれか１項に記載のトランザクション管理装置。
【請求項５】
前記管理部は、前記トランザクション要求額が前記第２残高よりも大きく、かつ、前記第１残高と前記第２残高の合計額よりも小さい場合に、前記トランザクション要求額と前記第２残高との差額を前記第１残高から減額するとともに、前記第２残高の値を０にする、請求項１から４のいずれか１項に記載のトランザクション管理装置。
【請求項６】
前記要求受信部は、前記第２クレジットにより購入する商品又はサービスの種類、前記商品又はサービスを提供する会社の種類、前記商品又はサービスを提供する店の種類、前記商品又はサービスを提供する施設内のエリア、前記商品又はサービスを購入できる時間帯、及び前記第２クレジットの使用可能期間の少なくとも１つからなる群より選択された使用条件を含む前記トランザクション要求を受信し、
前記判定部は、前記使用条件に応じて前記第１クレジット及び前記第２クレジットのいずれを使用すべきか、前記第１クレジット及び前記第２クレジットの両方を使用すべきか、又は、前記第１クレジット及び前記第２クレジットのいずれの部分を使用すべきかを判定すると共に、当該判定の結果に基づいて選択された前記第１残高及び前記第２残高を前記トランザクション要求額に基づいて更新する請求項１から５のいずれか１項に記載のトランザクション管理装置。
【請求項７】
前記要求受信部は、前記第２クレジットにより購入する商品又はサービスの種類、前記商品又はサービスを提供する会社の種類、前記商品又はサービスを提供する店の種類、前記商品又はサービスを提供する施設内のエリア、前記商品又はサービスを購入できる時間帯、及び前記第２クレジットの使用可能期間の少なくとも１つからなる群より選択された使用条件に対応する前記トランザクション要求額とを含む前記トランザクション要求を受信し、
前記管理部は、前記第２クレジットの前記使用条件に対応づけて少なくとも１つの前記第２残高を前記記憶部に記憶させ、
前記判定部は、前記トランザクション要求が含む前記使用条件に対応する前記トランザクション要求額と前記使用条件に対応する少なくとも１つの前記第２残高とを比較した結果に基づいて、前記トランザクションの可否を判定する請求項１から６のいずれか１項に記載のトランザクション管理装置。
【請求項８】
前記管理部は、前記使用条件に対応する前記トランザクション要求額が、前記使用条件に対応する前記第２残高よりも大きく、かつ、前記第１残高と前記第２残高の合計額よりも小さい場合には、前記使用条件に対応する前記トランザクション要求額と前記使用条件に対応する前記第２残高との差額を前記第１残高から減額するとともに、前記第２残高の値を０にする、請求項６又は７に記載のトランザクション管理装置。
【請求項９】
前記管理部は、前記要求受信部が受信した第１の前記使用条件を含む前記トランザクション要求に応じて前記第１残高及び前記第２残高のうちの少なくとも１つを更新すると、前記第１の使用条件以外の第２の使用条件に対応する前記第２残高を、前記第１の使用条件に対応するトランザクション要求額に従って増額させる請求項６から８のいずれか１項に記載のトランザクション管理装置。
【請求項１０】
前記管理部は、前記管理部が前記第１残高及び前記第２残高の少なくとも１つを変更したときに前記第１残高及び前記第２残高の少なくとも１つが所定の金額の範囲内である場合に、前記第１残高、前記第２残高及び前記トランザクション要求額に応じて前記第２残高を増額させる請求項６から９のいずれか１項に記載のトランザクション管理装置。
【請求項１１】
前記管理部は、前記使用条件の１つとして前記第２クレジットを使用することができる期間を示す有効期間を前記識別情報に対応づけて前記記憶部に記憶させ、
前記判定部は、前記有効期間に基づいて前記トランザクションの可否を判定し、
前記管理部は、前記有効期間が終了すると、前記第２クレジットの前記第２残高を更新する請求項６から１０のいずれか１項に記載のトランザクション管理装置。
【請求項１２】
前記管理部は、前記第２クレジットの発行者ごとに前記第２クレジットが使用された金額及び回数のうちの少なくとも１つを集計する請求項１から１１のいずれか１項に記載のトランザクション管理装置。
【請求項１３】
前記管理部は、前記第１クレジットを用いた遊戯において、所定期間内に前記識別情報に対応する前記ユーザにより前記第１クレジットの前記トランザクションが行われた金額の累積額、及び、前記所定期間内に前記識別情報に対応する前記ユーザが使用可能な累積使用可能残高を前記識別情報に対応づけて前記記憶部に記憶させ、
前記判定部は、前記トランザクション要求額及び前記累積額の合計額と前記累積使用可能残高とに基づいて、前記遊戯における前記トランザクションの可否を判定する請求項１から１２のいずれか１項に記載のトランザクション管理装置。
【請求項１４】
前記管理部は、前記トランザクションが行われた金額から現金に換金された金額を差し引いた金額を前記累積額として前記記憶部に記憶させる請求項１３に記載のトランザクション管理装置。
【請求項１５】
ユーザが使用可能な環境が限定されたローカルクレジットのトランザクションに関する指示であって、現金からの交換、及び、現金への交換の少なくとも１つが可能な第１クレジットの残高を示す第１残高を使用する額を示す第１トランザクション要求額と、現金からの交換、及び、現金への交換のいずれもができない第２クレジットの残高を示す第２残高を使用する額を示す第２トランザクション要求額と、を含む指示を取得する取得部と、
前記指示に応じて、前記ユーザに固有の識別情報と、前記第１残高及び前記第２残高を要求する残高要求とを、前記第１残高及び前記第２残高を管理するトランザクション管理装置に送信する送信部と、
前記第１残高及び前記第２残高を前記トランザクション管理装置から受信する受信部と、
前記第１残高及び前記第２残高の少なくとも１つを表示する表示部と、
を備えるトランザクション要求装置。
【請求項１６】
前記送信部は、前記ユーザからの指示に応じて、前記第２クレジットのトランザクションで要求される金額を示すトランザクション要求額と、前記識別情報と、前記第２クレジットにより購入する商品又はサービスの種類、前記商品又はサービスを提供する会社の種類、前記商品又はサービスを提供する店の種類、前記商品又はサービスを提供する施設内のエリア、前記商品又はサービスを購入できる時間帯、及び前記第２クレジットの使用可能期間からなる群より選択された使用条件と、を含むトランザクション要求を前記トランザクション管理装置に送信する請求項１５に記載のトランザクション要求装置。
【請求項１７】
前記第１クレジット及び前記第２クレジットの少なくとも１つを用いて前記ユーザに遊戯をさせる遊戯部をさらに有し、
前記取得部は、前記表示部が前記第１残高及び前記第２残高の少なくとも１つを表示した後に、前記遊戯部で使用する予定の金額を示す遊戯額を、前記第１クレジット及び前記第２クレジットのそれぞれに対応づけて取得し、
前記送信部は、前記第１クレジットを用いる前記遊戯額と前記第２クレジットを用いる前記遊戯額とを前記トランザクション要求額として含む前記トランザクション要求を前記トランザクション管理装置に送信し、
前記受信部は、前記ユーザの前記識別情報に対応する前記第１残高のうち前記遊戯において使用できる第１使用可能残高、及び、前記第２残高のうち前記遊戯において使用できる第２使用可能残高を前記トランザクション管理装置から受信し、
前記遊戯部は、前記ユーザから前記遊戯の開始の指示を受けた後に、前記遊戯に要する遊戯料金が前記第１使用可能残高及び前記第２使用可能残高の合計額以下の間は前記遊戯を実行させる請求項１６に記載のトランザクション要求装置。
【請求項１８】
前記表示部は、前記第１残高の一部又は全部及び前記第２残高の一部又は全部を組み合わせた複数の遊戯額候補を表示し、
前記取得部は、前記複数の遊戯額候補から選択された遊戯額候補を前記遊戯額として取得する請求項１７に記載のトランザクション要求装置。
【請求項１９】
前記表示部は、前記使用条件において使用できる前記第１残高及び前記第２残高の少なくとも１つを前記使用条件に対応づけて表示する請求項１６から１８のいずれか１項に記載のトランザクション要求装置。
【請求項２０】
前記表示部は、前記使用条件において使用できる複数の前記第２残高の合計額を表示する請求項１９に記載のトランザクション要求装置。
【請求項２１】
ユーザが使用可能な環境が限定されたローカルクレジットのトランザクションの要求をするトランザクション要求装置と、
前記トランザクション要求装置から受信したトランザクション要求に応じて前記トランザクションの可否を管理するトランザクション管理装置と、
を備えるトランザクション管理システムであって、
前記トランザクション要求装置は、
前記ユーザの識別情報と、現金からの交換、及び、現金への交換の少なくとも１つが可能な第１クレジットの残高を示す第１残高を使用する額を示す第１トランザクション要求額と、現金からの交換、及び、現金への交換のいずれもができない第２クレジットの残高を示す第２残高を使用する額を示す第２トランザクション要求額と、を含む前記トランザクション要求を送信する送信部を有し、
前記トランザクション管理装置は、
前記第１残高及び前記第２残高を前記識別情報に対応づけて記憶する記憶部と、
前記識別情報に対応する前記第１残高及び前記第２残高と前記トランザクション要求額とを比較した結果に基づいて、前記トランザクションの可否を判定する判定部と、
前記判定部が前記トランザクションを可能であると判定すると、前記トランザクション要求額に基づいて前記記憶部が記憶している前記第１残高及び前記第２残高を更新する管理部と、
を有するトランザクション管理システム。
【請求項２２】
前記トランザクション要求装置は、
前記ユーザから指示を取得する取得部と、
前記第１残高と、前記第２クレジットにより購入する商品又はサービスの種類、前記商品又はサービスを提供する会社の種類、前記商品又はサービスを提供する店の種類、前記商品又はサービスを提供する施設内のエリア、前記商品又はサービスを購入できる時間帯、及び前記第２クレジットの使用可能期間からなる群より選択された使用条件に対応する前記第２残高を前記トランザクション管理装置から受信する受信部と、
前記第１残高及び前記第２残高を表示する表示部と、
をさらに有し、
前記送信部は、前記ユーザからの指示に応じて、前記ユーザに固有の識別情報と、第１クレジットの残高を示す第１残高と、前記第２クレジットの前記使用条件に対応する残高を示す第２残高を要求する残高要求を、前記トランザクション管理装置に送信し、
前記トランザクション管理装置は、前記残高要求に応じて前記第１残高と、前記使用条件に対応する前記第２残高とを前記トランザクション要求装置に送信し、
前記取得部は、前記表示部が前記第１残高及び前記第２残高の少なくとも１つを表示した後に、前記ユーザから前記第２クレジットの前記使用条件に対応する前記トランザクション要求額を取得する請求項２１に記載のトランザクション管理システム。
【請求項２３】
前記トランザクション要求装置として機能する無線情報端末をさらに備え、
前記無線情報端末は、前記トランザクション管理装置から取得した前記第１残高と、前記第２クレジットにより購入する商品又はサービスの種類、前記商品又はサービスを提供する会社の種類、前記商品又はサービスを提供する店の種類、前記商品又はサービスを提供する施設内のエリア、前記商品又はサービスを購入できる時間帯、及び前記第２クレジットの使用可能期間からなる群より選択された使用条件に対応する前記第２残高を表示すると共に、前記ユーザから前記トランザクション要求額と前記第２クレジットの前記使用条件とを取得し、
前記トランザクション要求装置は、前記トランザクション要求額と、前記第２クレジットの前記使用条件とを前記無線情報端末から取得し、前記トランザクション要求額を含む前記トランザクション要求を送信し、
前記トランザクション管理装置は、前記トランザクション要求額に基づいて、前記識別情報に対応づけて前記記憶部が記憶している前記第１残高及び前記第２残高を更新する請求項２１に記載のトランザクション管理システム。
【請求項２４】
前記無線情報端末は、所定の位置においては前記第１クレジットの第１残高を増やすチャージトランザクションを禁止する請求項２３に記載のトランザクション管理システム。
【発明の詳細な説明】
【技術分野】
【０００１】
本発明は、ローカルクレジットのトランザクションを管理するためのトランザクション管理装置、トランザクション要求装置及びトランザクション管理システムに関する。
【背景技術】
【０００２】
カジノやホテルなどの施設のユーザに当該施設専用のカードを貸与し、そのカードを用いて施設内で提供されるサービスを受ける場合の決済を行えるようにする決済システムが知られている。例えば、特開２００２−１２３６１９号公報は、ユーザが、カードに記録された情報に基づいて施設内での食事、ゲーム、ショッピング、宿泊などの各種サービスを受けることができるシステムを開示している。【０００３】
また、特開２００９−４８３７６号公報は、予めユーザが定めたデポジットの額を超えてサービスを利用したい場合に、クレジットカードの与信枠内でサービスを利用できるようにする決済システムを開示している。特開２００１−２４３３７６号公報は、商品を購入したユーザにポイントを付与し、ユーザは、次回の購入時の購入代金の一部にポイントを使用することができる方法を開示している。
【先行技術文献】
【特許文献】
【０００４】
【特許文献１】特開２００２−１２３６１９号公報
【特許文献２】特開２００９−４８３７６号公報
【特許文献３】特開２００１−２４３３７６号公報
【発明の概要】
【発明が解決しようとする課題】
【０００５】
しかし、従来の決済システムにおいては、ユーザが予め金銭を支払うことにより、サービスの提供を受けるときに金銭を支払うことなくカードを提示するだけでサービスの提供を受けられるに過ぎなかった。したがって、サービスの提供を受けるたびに金銭を支払う場合に比べてユーザの利便性は向上するものの、特定のサービス又は商品の購買意欲を喚起することはできなかった。【０００６】
ポイントを付与することにより、ユーザに対して、次回も同じ店で商品を購入するように動機付けることはできた。しかし、ポイントは、商品を購入する場合に商品の代金の一部を補うことしかできなかった。また、ポイントはユーザが所持している現金と一括管理されないので、ユーザは商品やサービスの購入時に、どれだけの金額を使用できるかを容易に把握することができなかった。【０００７】
そこで、本発明は、ユーザの利便性を向上しつつ、ユーザの購買意欲を喚起することができるトランザクション管理装置、トランザクション要求装置及びトランザクション管理システムを提供することを目的とする。
【課題を解決するための手段】
【０００８】
本発明の第１の態様においては、ユーザが使用可能な環境が限定されたローカルクレジットのトランザクションを管理するトランザクション管理装置であって、現金からの交換、及び、現金への交換の少なくとも１つが可能な第１クレジットの残高を示す第１残高、並びに、現金からの交換、及び、現金への交換のいずれもができない第２クレジットの残高を示す第２残高を前記ユーザに固有の識別情報に対応づけて記憶する記憶部と、前記識別情報と、前記第１残高を使用する額を示す第１トランザクション要求額、及び前記第２残高を使用する額を示す第２トランザクション要求額を含むトランザクション要求額と、を含むトランザクション要求を受信する要求受信部と、前記識別情報に対応する前記第１残高と前記第１トランザクション要求額とを比較した結果、及び前記第２残高と前記第２トランザクション要求額とを比較した結果に基づいて、前記トランザクションの可否を判定する判定部と、前記判定部が前記トランザクションを可能であると判定すると、前記トランザクション要求額に基づいて、前記記憶部が記憶している前記第１残高及び前記第２残高のうちの少なくとも１つを更新する管理部と、を備えるトランザクション管理装置を提供する。【０００９】
本発明の第２の態様においては、ユーザが使用可能な環境が限定されたローカルクレジットのトランザクションに関する指示であって、現金からの交換、及び、現金への交換の少なくとも１つが可能な第１クレジットの残高を示す第１残高を使用する額を示す第１トランザクション要求額と、現金からの交換、及び、現金への交換のいずれもができない第２クレジットの残高を示す第２残高を使用する額を示す第２トランザクション要求額と、を含む指示を取得する取得部と、前記指示に応じて、前記ユーザに固有の識別情報と、前記第１残高及び前記第２残高を要求する残高要求とを、前記第１残高及び前記第２残高を管理するトランザクション管理装置に送信する送信部と、前記第１残高及び前記第２残高を前記トランザクション管理装置から受信する受信部と、前記第１残高及び前記第２残高の少なくとも１つを表示する表示部とを備えるトランザクション要求装置を提供する。【００１０】
本発明の第３の態様においては、ユーザが使用可能な環境が限定されたローカルクレジットのトランザクションの要求をするトランザクション要求装置と、前記トランザクション要求装置から受信したトランザクション要求に応じて前記トランザクションの可否を管理するトランザクション管理装置とを備えるトランザクション管理システムであって、前記トランザクション要求装置は、前記ユーザの識別情報と、現金からの交換、及び、現金への交換の少なくとも１つが可能な第１クレジットの残高を示す第１残高を使用する額を示す第１トランザクション要求額と、現金からの交換、及び、現金への交換のいずれもができない第２クレジットの残高を示す第２残高を使用する額を示す第２トランザクション要求額と、を含む前記トランザクション要求を送信する送信部を有し、前記トランザクション管理装置は、前記第１残高及び前記第２残高を前記識別情報に対応づけて記憶する記憶部と、前記識別情報に対応する前記第１残高及び前記第２残高と前記トランザクション要求額とを比較した結果に基づいて、前記トランザクションの可否を判定する判定部と、前記判定部が前記トランザクションを可能であると判定すると、前記トランザクション要求額に基づいて前記記憶部が記憶している前記第１残高及び前記第２残高を更新する管理部と、を有するトランザクション管理システムを提供する。
なお上記の発明の概要は、本発明の必要な特徴の全てを列挙したものではなく、これらの特徴群のサブコンビネーションも又発明となりうる。
【発明の効果】
【００１１】
本発明によれば、ユーザの利便性を向上しつつ、ユーザの購買意欲を喚起することができるという効果を奏する。
【図面の簡単な説明】
【００１２】
【図１Ａ】本実施形態のトランザクション管理システム１０の構成を示す。
【図１Ｂ】本実施形態のトランザクション管理システム１０と他のシステムとの関係を示す。
【図２】無線情報端末３００の表示画面の一例を示す。
【図３】本実施形態のトランザクション管理装置１００の構成を示す。
【図４】記憶部１２０が記憶している識別情報、第１残高及び第２残高の第１の例を示す。
【図５】本実施形態のトランザクション管理装置１００の動作フローチャートである。
【図６】本実施形態のトランザクション要求装置２００の構成を示す。
【図７】本実施形態のトランザクション要求装置２００の他の例を示す。
【図８Ａ】第１残高及び第２残高と、第１使用可能残高及び第２使用可能残高との関係を示す。
【図８Ｂ】第１残高及び第２残高と、第１使用可能残高及び第２使用可能残高との関係を示す。
【図９】トランザクション要求装置２００の表示画面の一例を示す。
【図１０Ａ】本実施形態のトランザクション管理システム１０における通信シーケンスの一例を示す。
【図１０Ｂ】本実施形態のトランザクション管理システム１０における通信シーケンスの他の例を示す。
【図１１】本実施形態のトランザクション管理システム１０における通信シーケンスの他の例を示す。
【図１２】無線情報端末３００の表示画面の一例を示す。
【図１３】本実施形態のトランザクション管理システム１０における通信シーケンスの他の例を示す。
【図１４】記憶部１２０が記憶している識別情報、第１残高及び第２残高の第２の例を示す。
【図１５】送信部２２０が送信するトランザクション要求の一例を示す。
【図１６Ａ】使用条件に対応する残高を表示する無線情報端末３００の表示画面を示す。
【図１６Ｂ】使用条件に対応する残高を表示する無線情報端末３００の表示画面を示す。
【図１６Ｃ】使用条件に対応する残高を表示する無線情報端末３００の表示画面を示す。
【図１６Ｄ】使用条件に対応する残高を表示する無線情報端末３００の表示画面を示す。
【図１７】記憶部１２０が記憶している識別情報、第１残高及び第２残高の第３の例を示す。
【図１８】時間とローカルクレジットの残高との関係の一例を示す。
【図１９】時間とローカルクレジットの残高との関係の他の例を示す。
【図２０】無線情報端末３００とトランザクション要求装置２００との位置関係の一例を示す。
【図２１】トランザクション管理装置１００又はトランザクション要求装置２００として機能するコンピュータ５００の構成例を示す。
【発明を実施するための形態】
【００１３】
以下、発明の実施の形態を通じて本発明を説明するが、以下の実施形態は請求の範囲にかかる発明を限定するものではなく、又実施形態の中で説明されている特徴の組み合わせの全てが発明の解決手段に必須であるとは限らない。
【００１４】
［トランザクション管理システム１０の構成］
図１Ａは、本実施形態のトランザクション管理システム１０の構成を示す。トランザクション管理システム１０は、トランザクション管理装置１００及びトランザクション要求装置２００を備える。トランザクション管理システム１０は、無線情報端末３００をさらに備えてもよい。トランザクション管理システム１０は、複数のトランザクション要求装置２００及び複数の無線情報端末３００を備えてもよい。
【００１５】
トランザクション管理装置１００及びトランザクション要求装置２００は、ネットワーク５０を介して接続されている。ネットワーク５０は、例えばインターネットである。ネットワーク５０はＬＡＮであってもよい。
【００１６】
トランザクション管理装置１００は、例えばカジノ、レストラン及びショップなどのように商品又はサービスを提供する施設においてユーザが使用できるローカルクレジットの残高及び使用可否を管理するサーバである。ここで、ユーザとは、上記の施設において商品又はサービスの提供を受ける個人又は会社である。トランザクション管理装置１００は、ユーザに固有の識別情報を記憶してよい。
【００１７】
ローカルクレジットは、ユーザが使用可能な環境が限定されている、金銭価値を備えるクレジットである。具体的には、ローカルクレジットは、トランザクション管理装置１００にアクセスできる環境において使用できると共に、トランザクション管理装置１００にアクセスできない環境では使用できないクレジットである。
【００１８】
例えば、ユーザは、トランザクション管理システム１０が管理する施設内のカジノのスロットマシンでローカルクレジットを使ってゲームをしたり、レストランの精算機でローカルクレジットにより食事代を支払ったり、ショップのＰＯＳ端末でローカルクレジットにより商品代を支払ったり、ホテルでローカルクレジットにより宿泊料の精算をしたりすることができる。ユーザは、トランザクション管理システム１０にアクセスできる無線情報端末を用いて、ローカルクレジットにより料金を支払ってもよい。
【００１９】
トランザクション要求装置２００は、ユーザからの指示に応じてトランザクション要求をトランザクション管理装置１００に送信する。トランザクション要求装置２００は、複数のネットワーク及び複数のサーバを経由して、トランザクション要求をトランザクション管理装置１００に送信してもよい。トランザクションとは、ローカルクレジットを増加又は減少させる処理である。
【００２０】
ここで、ローカルクレジットを増加させるトランザクションは、ローカルクレジットで使用できる金額を増額させる処理であり、本明細書においてはチャージトランザクションと称する。ローカルクレジットを減少させるトランザクションは、ローカルクレジットを用いて商品又はサービスを購入する処理であり、本明細書においては決済(payment)トランザクションと称する。トランザクション要求は、トランザクションを要求するメッセージである。
【００２１】
トランザクション要求装置２００は、ローカルクレジットを使用できる施設内に設けられており、ローカルクレジットを使用した決済又はローカルクレジットのチャージをする装置である。例えば、トランザクション要求装置２００は、カジノに設けられた遊戯装置、ＡＴＭ又はＰＯＳ端末である。トランザクション要求装置２００は、レストラン又はショップに設けられた精算装置であってもよく、コンピュータであってもよい。ユーザが所有しているスマートフォンなどの無線情報端末３００がトランザクション要求装置２００として機能してもよい。
【００２２】
一例として、ユーザは、スロットマシンなどのゲーム機能を有するトランザクション要求装置２００において、ローカルクレジットを用いて遊戯することができる。ユーザは、ユーザのローカルクレジットの残高を用いて遊戯すると共に、遊戯によって得た賞金をローカルクレジットに交換することもできる。ユーザは、ＡＴＭ機能を有するトランザクション要求装置２００において現金をローカルクレジットに交換することができる。ユーザは、ＡＴＭにおいてローカルクレジットを用いて決済することもできる。
【００２３】
ＰＯＳ端末機能を有するトランザクション要求装置２００を設置した店の店員は、トランザクション要求装置２００を用いて商品の精算をすることができる。ＰＯＳ端末として機能するトランザクション要求装置２００は、商品を購入した顧客に固有の識別情報を取得し、当該顧客のローカルクレジットを用いて商品代金の決済をすることができる。
【００２４】
無線情報端末３００は、操作部及び表示部を有する。無線情報端末３００は、例えば無線回線を通じてデータ及び音声の伝送をすることができる。無線情報端末３００は、近距離無線通信（Near Field Communication, NFC）によりトランザクション要求装置２００とデータの送受信をしてもよい。無線情報端末３００は、ＷｉＦｉ又は携帯電話回線を介してトランザクション管理装置１００とデータの送受信をしてもよい。無線情報端末３００がトランザクション要求装置２００として機能してもよい。
【００２５】
図１Ｂは、本実施形態のトランザクション管理システム１０と他のシステムとの関係を示す。図１Ｂにおける点線で囲まれた領域は、トランザクション管理システム１０である。図１Ｂにおけるトランザクション管理システム１０は、トランザクション管理装置１００として機能するローカルクレジットサーバ２０、トランザクション要求装置２００として機能するＡＴＭ／ＫＩＯＳＫ装置１２及びスロットマシン１６、並びに、トランザクション要求装置２００及び無線情報端末３００として機能するスマートフォン１４を有する。
【００２６】
ＡＴＭ／ＫＩＯＳＫ装置１２は、銀行２４の口座の残高を管理するＡＴＭ／ＫＩＯＳＫコントロールサーバ１８と接続されている。スロットマシン１６は、カジノの顧客情報を管理するカジノホストサーバ２２と接続されている。ローカルクレジットサーバ２０は、ＡＴＭ／ＫＩＯＳＫコントロールサーバ１８を介してＡＴＭ／ＫＩＯＳＫ装置１２と通信すると共に、カジノホストサーバ２２を介してスロットマシン１６と通信してよい。
【００２７】
ローカルクレジットサーバ２０は、例えば、スマートフォン１４から、銀行２４の口座に預けている金銭をローカルクレジットに交換する要求を受信すると、ＡＴＭ／ＫＩＯＳＫコントロールサーバ１８に決済を要求する。ローカルクレジットサーバ２０は、ユーザがＡＴＭ／ＫＩＯＳＫ装置１２で、銀行２４の口座に預けている金銭をローカルクレジットに交換する操作をすると、ＡＴＭ／ＫＩＯＳＫコントロールサーバ１８から、ローカルクレジットを増やす指示を取得する。
【００２８】
ローカルクレジットサーバ２０は、ユーザがスロットマシン１６で遊戯をする場合に、ローカルクレジットの一部を、カジノホストサーバ２２を介してスロットマシン１６にトランスファーする。ローカルクレジットサーバ２０は、スロットマシン１６でユーザが受け取った賞金の額をカジノホストサーバ２２経由で取得し、当該ユーザのローカルクレジットを増やしてもよい。トランザクション管理システム１０の管理者は、ローカルクレジットサーバ２０に接続されたパーソナルコンピュータ２６を用いて、ユーザのローカルクレジットを増やしてもよい。
【００２９】
以下、図１Ａを参照して、トランザクション管理システム１０の動作を説明する。トランザクション管理システム１０は、第１の種類のローカルクレジット（以下、第１クレジット）、及び、使用目的が第１クレジットよりも制限された第２の種類のローカルクレジット（第２クレジット）を管理する。例えば、第１クレジットは、１０セント硬貨、１ドル紙幣のような流通貨幣（circulating money）からの交換、及び、流通貨幣への交換の少なくとも１つが可能なローカルクレジットである。第２クレジットは、流通貨幣からの交換、及び、流通貨幣への交換のいずれもができないローカルクレジットである。なお、流通貨幣を用いて、流通貨幣と異なる価値を有する第２クレジットを購入することは交換と異なり、トランザクション管理システム１０は、ユーザが流通貨幣を用いて第２クレジットを購入することを許可してもよい。
【００３０】
一例として、ユーザは、トランザクション要求装置２００において、第１クレジットの残高の一部又は全部を現金に交換することができる。ユーザは、トランザクション要求装置２００において、第２クレジットの一部又は全部を用いて、商品やサービスを購入する場合の代金を支払うことができる。
【００３１】
トランザクション管理システム１０を利用する会社又は個人は、さまざまな方法でローカルクレジットを発行することができる。例えば、トランザクション管理システム１０を導入したカジノ運営会社は、顧客に各種サービスを試用してもらうために、顧客に固有の識別情報に対応づけて第２クレジットを発行する。ＰＯＳ端末として機能するトランザクション要求装置２００を導入している店舗が、顧客に来店してもらうために、顧客に固有の識別情報に対応づけて第２クレジットを発行してもよい。
【００３２】
トランザクション管理システム１０を導入したカジノやホテルを利用する個人ユーザは、カジノやホテルに設置されたトランザクション要求装置２００を用いて、流通貨幣を第１クレジットに交換することができる。トランザクション管理システム１０は、現金に交換することができる第１クレジットの発行額に上限を設けてもよい。
【００３３】
トランザクション管理システム１０は、第１の使用条件で第１クレジット又は第２クレジットが利用された場合に、第１の使用条件に対応する第２の使用条件に限定された第２クレジットを発行してもよい。ここで、使用条件とは、第２クレジットにより購入する商品又はサービスの種類、商品又はサービスを提供する会社の種類、商品又はサービスを提供する店の種類、商品又はサービスを提供する施設内のエリア、商品又はサービスを購入できる時間帯、及び第２クレジットの使用可能期間（有効期間）の少なくとも１つを含む、施設内で提供される商品又はサービスを分類する指標である。
【００３４】
例えば、ユーザが第１クレジット又は第２クレジットを用いてカジノに関連するレストランで食事をして精算をすると、トランザクション管理システム１０は、カジノで使用できる第２クレジットを当該ユーザに付与する。ユーザが第１クレジット又は第２クレジットを用いてカジノに関連する店で洋服を購入すると、トランザクション管理システム１０は、カジノに関連するレストランでの食事やカジノのスロットマシンでの遊戯で使用できる第２クレジットを当該ユーザに付与する。
【００３５】
トランザクション管理装置１００は、ユーザが使用できるローカルクレジットのトランザクションを管理する。具体的には、トランザクション管理装置１００は、ユーザがローカルクレジットのトランザクションに使用できる残高を管理する。より具体的には、トランザクション管理装置１００は、ユーザが第１クレジットを使用できる残高を示す第１残高及び第２クレジットを使用できる残高を示す第２残高を管理する。また、トランザクション管理装置１００は、トランザクション要求装置２００から受信したトランザクション要求に応じてトランザクションの可否を管理する。
【００３６】
例えば、トランザクション管理装置１００は、ユーザが使用することができるローカルクレジットの残高を記憶する。トランザクション管理装置１００は、トランザクション要求装置２００を介して取得するユーザからのローカルクレジットを使いたいという要求に応じて、ユーザにローカルクレジットの使用を許可すると共に、記憶しているローカルクレジットの残高を減少させるという決済トランザクションを実行する。トランザクション管理装置１００は、ユーザからのローカルクレジットを増やしたいという指示に応じて、ユーザから現金又はクレジットカードによる支払いを受けて、記憶しているローカルクレジットの残高を増加させるというチャージトランザクションを実行してもよい。
【００３７】
なお、クレジットカードを用いて流通貨幣に安いレートで換金されることを防ぐために、トランザクション管理システム１０は、クレジットカードを用いて第１クレジットをチャージすることを禁止してもよい。具体的には、トランザクション管理装置１００は、トランザクション要求が、クレジットカードによるトランザクションであることを示している場合に、第１残高を増額することを禁止する。トランザクション管理装置１００は、ユーザがクレジットカードを用いて第１残高を増加させようとする場合には、クレジットカードによって第１クレジットを増額させることができないことをトランザクション要求装置２００に通知してもよい。
【００３８】
図２は、無線情報端末３００の表示画面の一例を示す。同図に示す無線情報端末３００には、ユーザが使用できるローカルクレジットの残高が＄１０００、第１クレジットの残高が＄３００、第２クレジットの残高が＄７００であることが示されている。一例として、ユーザが、トランザクション管理システム１０を利用するためのアプリケーションソフトを無線情報端末３００にダウンロードしてインストールした後にトランザクション管理装置１００にログインすることにより、無線情報端末３００は図２に示す画面を表示する。
【００３９】
ユーザは、ロードボタンを押すことにより、第１残高及び第２残高の一部又は全部を、トランザクション要求装置２００にトランスファーすることができる。例えば、トランザクション要求装置２００がスロットマシンとして機能する場合、ユーザはトランスファーされた第１残高及び第２残高のうちの少なくとも１つを使用して遊戯することができる。ロードボタンが押された場合の無線情報端末３００、トランザクション要求装置２００及びトランザクション管理装置１００の動作については図１１を参照して後述する。
【００４０】
ユーザがチャージボタンを押すと、無線情報端末３００は、第１クレジットをチャージする金額を入力する画面を表示する。ユーザがチャージする金額を入力すると、無線情報端末３００は、入力された金額に対応するトランザクション要求額を含むトランザクション要求をトランザクション管理装置１００に送信する。無線情報端末３００は、トランザクション管理装置１００からチャージ後に更新された第１残高を受信すると、チャージした後の更新された第１残高及び第２残高の合計額を表示する。
【００４１】
ユーザが履歴ボタンを押すと、無線情報端末３００は、ローカルクレジットの使用履歴及びチャージ履歴を表示する。無線情報端末３００は、第１クレジットのトランザクションの履歴及び第２クレジットのトランザクションの履歴のそれぞれを表示してよい。
【００４２】
ユーザが購入ボタンを押すと、無線情報端末３００は、第１クレジット及び第２クレジットの少なくとも１つを用いて購入できる商品の画像を表示する。ユーザは、表示された商品の画像を押すことにより、商品を購入することができる。
【００４３】
以上のように、トランザクション管理システム１０によれば、第１クレジット及び第２クレジットをユーザの識別情報に対応づけて管理するので、トランザクション管理システム１０を導入した会社及びトランザクション管理システム１０を利用する店舗は、ユーザを囲い込むことができると共に、マーケティング戦略に応じて第１クレジット及び第２クレジットを発行することにより、商品やサービスの販売を促進することができるという効果を奏する。
【００４４】
トランザクション管理システム１０を使用する会社は、例えば、流通貨幣に交換できない第２クレジットをユーザに提供することで、ユーザに対して、再び同じ施設で商品やサービスを購入するように動機付けることができる。例えば、トランザクション管理システム１０を使用する会社は、ユーザが支払った金額に対応する第１クレジットをユーザに与えると共に、会社がユーザに無料で第２クレジットをユーザに提供することができる。
【００４５】
さらに、トランザクション管理システム１０を導入した会社は、第２クレジットを発行するユーザを戦略的に選択すると共に、第２クレジットを発行したユーザの第２クレジットの使用状況を細かく把握することができるので、より良いマーケティング戦略を構築することができる。
【００４６】
ユーザにとっては、ローカルクレジットを使用できる施設内では、現金の出し入れをすることなく商品やサービスの提供を受けることができるというメリットがある。特に、ユーザが購入したローカルクレジットと施設内の会社等が発行したローカルクレジットとを一元管理することができるので、ユーザは、どれだけの商品やサービスを購入できるのかを容易に把握することができる。
【００４７】
［トランザクション管理装置１００の構成］
図３は、本実施形態のトランザクション管理装置１００の構成を示す。トランザクション管理装置１００は、要求受信部１１０、記憶部１２０、判定部１３０及び管理部１４０を有する。要求受信部１１０は、トランザクションの額を示すトランザクション要求額及びユーザに固有の識別情報を含むトランザクション要求を受信する。例えば、要求受信部１１０はトランザクション要求装置２００又は無線情報端末３００からトランザクション要求を受信する。
【００４８】
具体的には、要求受信部１１０は、トランザクション要求装置２００において入力された、ユーザがローカルクレジットをどれだけ使用したいかを示すトランザクション要求額、又は、ユーザがローカルクレジットをどれだけ増やしたいかを示すユーザからのトランザクション要求額を受信する。要求受信部１１０は、決済トランザクションであるかチャージトランザクションであるかを示す情報を含むトランザクション要求を受信してもよい。
【００４９】
一例として、要求受信部１１０は、第１クレジットによるトランザクションの額を示す第１トランザクション要求額、及び、第１クレジットと異なる使用可能範囲を有する第２クレジットによるトランザクションの額を示す第２トランザクション要求額の少なくとも１つを含むトランザクション要求を受信する。
【００５０】
要求受信部１１０は、例えば、ユーザの識別情報をトランザクション要求装置２００から受信する。具体的には、要求受信部１１０は、トランザクション要求装置２００がユーザの無線情報端末３００から近距離無線通信によって取得した、無線情報端末３００内の不揮発性メモリに格納されたユーザの識別情報を受信する。要求受信部１１０は、トランザクション要求装置２００の操作部においてユーザが入力した識別情報をトランザクション要求装置２００から受信してもよい。要求受信部１１０は、識別情報を無線情報端末３００から直接受信してもよい。
【００５１】
記憶部１２０は、第１クレジットの残高を示す第１残高と、第２クレジットの残高を示す第２残高とを識別情報に対応づけて記憶する。具体的には、記憶部１２０は、予め登録されたユーザが、どれだけの第１クレジットを使用できるかを示す第１残高、及び、どれだけの第２クレジットを使用できるかを示す第２残高を、ユーザに対応づけて記憶するメモリ、ハードディスク及びＳＳＤなどの読み出し／書き込み可能な記憶媒体である。
【００５２】
図４は、記憶部１２０が記憶している識別情報、第１残高及び第２残高の第１の例を示す。記憶部１２０は、識別情報０００１に対応づけて第１残高＄１００及び第２残高＄５０を記憶し、識別情報０００２に対応づけて第１残高＄１０００及び第２残高＄２０００を記憶している。
【００５３】
判定部１３０は、トランザクション要求が決済トランザクションであることを示している場合、要求受信部１１０が受信したトランザクション要求が含む識別情報に対応する第１残高及び第２残高のうちの少なくとも１つとトランザクション要求額とを比較した結果に基づいて、トランザクションの可否を判定する。例えば、判定部１３０は、第１トランザクション要求額と識別情報に対応する第１残高とを比較した結果、及び、第２トランザクション要求額と識別情報に対応する第２残高とを比較した結果の少なくとも１つに基づいて、トランザクションの可否を判定する。具体的には、判定部１３０は、トランザクション要求に含まれる第１クレジットのトランザクション要求額が第１残高以下である場合に、第１クレジットの使用を許可する。判定部１３０は、トランザクション要求に含まれる第２クレジットのトランザクション要求額が第２残高以下である場合に、第２クレジットの使用を許可する。
【００５４】
判定部１３０は、第１クレジットのトランザクション要求額が第１残高よりも大きい場合に、第１残高までの使用を許可してもよい。同様に、要求受信部１１０は、第２クレジットのトランザクション要求額が第２残高よりも大きい場合に、第２残高までの使用を許可してもよい。
【００５５】
判定部１３０は、トランザクション要求額が残高より大きい場合にトランザクションを許可してもよい。例えば、判定部１３０は、トランザクション要求額が残高を超過する金額が予め定められた金額以下である場合に、トランザクションを許可する。
【００５６】
管理部１４０は、判定部１３０がトランザクションを可能であると判定すると、トランザクション要求額に基づいて、記憶部１２０が記憶している第１残高及び第２残高のうちの少なくとも１つを更新する。例えば、管理部１４０は、判定部１３０がトランザクションを可能であると判定すると、記憶部１２０が記憶している第１残高の第１トランザクション要求額に応じた変更、及び、記憶部１２０が記憶している第２残高の第２トランザクション要求額に応じた変更の少なくとも１つを実行する。
【００５７】
具体的には、管理部１４０は、トランザクション要求に含まれる第１クレジットのトランザクション要求額が第１残高以下である場合に、記憶部１２０が記憶している第１残高から第１クレジットのトランザクション要求額を減額した額に更新する。管理部１４０は、トランザクション要求に含まれる第１クレジットのトランザクション要求額が第１残高より大きい場合に、記憶部１２０が記憶している第１残高を＄０に更新する。
【００５８】
同様に、管理部１４０は、トランザクション要求に含まれる第２クレジットのトランザクション要求額が第２残高以下である場合に、記憶部１２０が記憶している第２残高から第２クレジットのトランザクション要求額を減額した額に更新する。管理部１４０は、トランザクション要求に含まれる第２クレジットのトランザクション要求額が第２残高より大きい場合に、記憶部１２０が記憶している第２残高を＄０に更新する。管理部１４０は、第１残高及び第２残高を同時に変更してもよく、第１残高及び第２残高のいずれか１つを変更してもよい。
【００５９】
判定部１３０が、残高よりも大きなトランザクション要求額のトランザクションを許可する場合、管理部１４０は、残高をマイナスの値に更新する。例えば、第２残高が＄５０であり、トランザクション要求額が＄８０である場合に、管理部１４０は第２残高を−＄３０に更新する。
【００６０】
管理部１４０は、トランザクション要求がチャージトランザクションであることを示している場合、識別情報に対応づけて記憶部１２０が記憶している第１残高及び第２残高を増額させる。具体的には、管理部１４０は、記憶部１２０が記憶している第１残高に第１トランザクション要求額を加算すると共に、第２残高に第２トランザクション要求額を加算して、加算後の第１残高及び第２残高を記憶部１２０に記憶させる。
【００６１】
管理部１４０は、流通貨幣と交換可能な第１クレジットの第１残高と、流通貨幣と交換できない第２クレジットの第２残高とを識別情報に対応づけて記憶部１２０に記憶させてもよい。管理部１４０は、第１クレジットに交換した流通貨幣の交換元種別に基づいて、流通貨幣に交換できるか否かを判断してもよい。管理部１４０は、第１クレジットに交換された流通貨幣の交換元種別に対応づけて、流通貨幣に交換できる金額を記憶部１２０に記憶させてもよい。交換元種別は、第１クレジットに交換した元となる流通貨幣の種別、すなわち、「現金」、「銀行口座の預金」、「カジノでの賞金」「クレジットカード」等の、ユーザ自身の金銭の種別である。
【００６２】
管理部１４０は、要求受信部１１０が第１クレジットを流通貨幣に交換するトランザクション要求を受信すると、流通貨幣に交換することができる第１クレジットの第１残高とトランザクション要求額とに基づいて、流通貨幣への交換の可否を判断する。例えば、管理部１４０は、現金を交換して得られた第１クレジットの残高がトランザクション要求額以上であれば、現金への交換を許可する。管理部１４０は、クレジットカードにより得られた第１クレジットの流通貨幣への交換を許可しない。管理部１４０は、カジノにおいて得た第１クレジットの流通貨幣への交換可能額に上限を設けてもよい。
管理部１４０は、第１クレジットの交換元種別に応じて定められた優先度に基づいて、第１クレジットのうち、どの第１クレジットを使用するかを判断してもよい。具体的には、交換元種別が「現金」である第１クレジットは、現金に交換することができるが、交換元種別が「クレジットカード」である第１クレジットは、現金に交換することができない。そこで、管理部１４０は、現金に交換できない、交換元種別が「クレジットカード」である第１クレジットを優先的に使用する。
【００６３】
［トランザクション可否の判定動作フローチャート］
図５は、本実施形態のトランザクション管理装置１００の動作フローチャートである。トランザクション管理装置１００はトランザクション要求を受信すると、トランザクション要求に含まれている第１トランザクション要求額が、記憶部１２０に記憶されている第１残高以下であるか否かを判定する（Ｓ１０２）。第１トランザクション要求額が第１残高以下である場合には（Ｓ１０４）、判定部１３０は、第２トランザクション要求額が第２残高以下であるか否かを判定する（Ｓ１０６）。
【００６４】
管理部１４０は、第２トランザクション要求額も第２残高以下である場合には、第１クレジット及び第２クレジットのトランザクション許可通知をトランザクション要求装置２００に送信すると共に、記憶部１２０が記憶している第１残高及び第２残高のそれぞれから第１トランザクション要求額及び第２トランザクション要求額を差し引いた額に更新する（Ｓ１０８）。
【００６５】
Ｓ１０６において第２トランザクション要求額が第２残高よりも大きい場合には、管理部１４０は、第１クレジットによるトランザクション許可通知をトランザクション要求装置２００に送信すると共に、第１残高を更新する（Ｓ１１０）。管理部１４０は、第２クレジットのトランザクションの不許可通知をトランザクション要求装置２００に送信すると共に、第２残高を更新しない。
【００６６】
この場合に、トランザクション管理装置１００は、第２残高をトランザクション要求装置２００に送信してもよい。トランザクション管理装置１００は、トランザクション要求装置２００から第２残高まで第２クレジットを使用する要求を受信すると、第２クレジットによるトランザクション許可通知をトランザクション要求装置２００に送信すると共に、第２残高を＄０に更新してもよい。
【００６７】
判定部１３０は、Ｓ１０４において第１トランザクション要求額が第１残高よりも大きい場合には（Ｓ１０４）、第２トランザクション要求額が第２残高以下であるか否かを判定する（Ｓ１１２）。第２トランザクション要求額が第２残高以下である場合には、管理部１４０は、第２クレジットによるトランザクション許可通知をトランザクション要求装置２００に送信すると共に、第２残高を更新する（Ｓ１１４）。
【００６８】
この場合に、トランザクション管理装置１００は、第１残高をトランザクション要求装置２００に送信してもよい。トランザクション管理装置１００は、トランザクション要求装置２００から第１残高まで第１クレジットを使用する要求を受信すると、第１クレジットによるトランザクション許可通知をトランザクション要求装置２００に送信すると共に、第１残高を＄０に更新してもよい。
【００６９】
管理部１４０は、トランザクション要求額が第２残高よりも大きい場合には、トランザクション要求額のうち第２残高と同一の額を第２残高から減額すると共に、トランザクション要求額と第２残高との差額を第１残高から減額してもよい。すなわち、管理部１４０は、第２クレジットを優先的に使用し、使用できる第２残高がなくなった場合に第１クレジットを使用することで、使用目的の制限が第２クレジットよりも少ない第１クレジットをできるだけ残すことができる。
【００７０】
［トランザクション要求装置２００の基本構成］
図６は、本実施形態のトランザクション要求装置２００の構成を示す。トランザクション要求装置２００は、取得部２１０、送信部２２０、受信部２３０、表示部２４０及び制御部２５０を備える。制御部２５０は、取得部２１０、送信部２２０、受信部２３０及び表示部２４０の間のデータのやり取りを制御する。
【００７１】
取得部２１０は、ユーザが使用できるローカルクレジットのトランザクションに関する指示を取得する。例えば、取得部２１０は、ユーザに固有の識別情報、トランザクションを要求する指示、トランザクション要求額又はローカルクレジットの使用条件を取得する。取得部２１０は、ＮＦＣインターフェイスを有し、ＮＦＣに対応したカードから識別情報を取得してよい。取得部２１０は、ユーザがトランザクション要求額又はローカルクレジットの使用条件を入力するユーザインターフェイス部を有してもよい。
【００７２】
具体的には、トランザクション要求装置２００がスロットマシンである場合、取得部２１０は、スロットマシンで使用する予定の金額、スロットマシンで遊戯を開始する指示、又は、スロットマシンでの遊戯を終了する指示を取得する。トランザクション要求装置２００がＡＴＭである場合、取得部２１０は、現金を支払ってローカルクレジットの残高を増やす指示を取得してもよい。トランザクション要求装置２００がＰＯＳ端末である場合、取得部２１０は、商品の購入金額及び商品の種類を取得してもよい。
【００７３】
送信部２２０は、取得部２１０が取得したトランザクションに関する指示に応じて、ユーザに固有の識別情報と、第１クレジットの残高を示す第１残高及び第２クレジットの残高を示す第２残高を要求する残高要求を、第１クレジット及び第２クレジットの使用の可否を管理するトランザクション管理装置１００に送信する。具体的には、トランザクション要求装置２００がスロットマシンである場合は、ユーザが識別情報を記憶したカードを取得部２１０に近づけることに応じて取得部２１０が識別情報を取得すると、送信部２２０は残高要求を送信する。
【００７４】
受信部２３０は、ネットワーク５０を介して、第１残高及び第２残高をトランザクション管理装置１００から受信する。受信部２３０は、第１残高が＄０の場合には第２残高のみを受信してもよく、第２残高が＄０の場合には第１残高のみを受信してもよい。
【００７５】
表示部２４０は、受信部２３０が受信した第１残高及び第２残高を表示する。表示部２４０は、第１残高及び第２残高のそれぞれを表示してもよく、第１残高と第２残高とを合計した合計残高を表示してもよい。表示部２４０は、第１残高が流通貨幣と交換可能な第１クレジットの残高であることを表示すると共に、第２残高が流通貨幣と交換できない第２クレジットの残高であることを表示してもよい。
【００７６】
取得部２１０が、トランザクションを要求するユーザからの指示を取得すると、送信部２２０は、第１クレジット及び第２クレジットの少なくとも１つのトランザクションで要求される金額を示すトランザクション要求額とユーザの識別情報とを含むトランザクション要求をトランザクション管理装置１００に送信する。送信部２２０は、取得部２１０が残高要求を送信した後でトランザクション要求を送信してもよく、取得部２１０が残高要求を送信する前にトランザクション要求を送信してもよい。
【００７７】
図７は、本実施形態のトランザクション要求装置２００の他の例を示す。図７に示すトランザクション要求装置２００は、遊戯部２６０をさらに有する点で図６に示したトランザクション要求装置２００と異なる。例えば、トランザクション要求装置２００は、ローカルクレジットを用いて遊戯することができるスロットマシンである。遊戯部２６０は、第１クレジット及び第２クレジットの少なくとも１つを用いてユーザに遊戯をさせる機能を有する。
【００７８】
ユーザの遊戯開始に先立ち、取得部２１０は遊戯部２６０で使用する予定の金額を示す遊戯額を取得する。取得部２１０は、表示部２４０が第１残高及び第２残高を表示した後で、遊戯額を取得してもよい。取得部２１０は、遊戯額における第１クレジットと第２クレジットとの内訳を取得してもよい。
【００７９】
表示部２４０は、第１残高の一部又は全部及び第２残高の一部又は全部を組み合わせた複数の遊戯額候補を表示してもよい。具体的には、表示部２４０は、第１残高を＄１００使用する第１遊戯額候補、第１残高を＄５０使用し第２残高を＄５０使用する第２遊戯額候補、第２残高を＄５０使用する第３遊戯額候補を表示する。表示部２４０は、トランザクション管理装置１００から受信した遊戯額候補を表示してもよい。取得部２１０は、表示部２４０が表示した複数の遊戯額候補からユーザにより選択された遊戯額候補を遊戯額として取得する。
【００８０】
取得部２１０は、ユーザの無線情報端末３００から識別情報及び遊戯額を取得してもよい。無線情報端末３００が、第１残高及び第２残高を組み合わせた複数の遊戯額候補を表示し、取得部２１０は、複数の遊戯額候補から選択された遊戯額候補を取得してもよい。
【００８１】
送信部２２０は、遊戯額をトランザクション要求額として含むトランザクション要求をトランザクション管理装置１００に送信する。送信部２２０は、第１クレジットを用いる遊戯額及び第２クレジットを用いる遊戯額を送信してもよい。受信部２３０は、ユーザの識別情報に対応する第１残高のうち遊戯において使用できる第１使用可能残高及びユーザの識別情報に対応する第２残高のうち遊戯において使用できる第２使用可能残高をトランザクション管理装置１００から受信する。
【００８２】
トランザクション管理装置１００は、トランザクション要求に応じて、記憶部１２０に記憶されている第１残高及び第２残高の少なくとも１つからトランザクション要求額を差し引いた後の第１残高及び第２残高をトランザクション要求装置２００に送信する。
【００８３】
また、トランザクション管理装置１００は、ユーザの識別情報に対応する第１使用可能残高及び第２使用可能残高をトランザクション要求装置２００に送信する。第１使用可能残高及び第２使用可能残高の合計額は、取得部２１０がユーザから取得した遊戯額に等しい。
【００８４】
トランザクション管理装置１００は、トランザクション要求装置１００から遊戯額における第１クレジット及び第２クレジットの内訳を受信しない場合に、第２残高を優先的に使用してもよい。例えば、トランザクション管理装置１００は、遊戯額が第２残高以下の場合に、第２使用可能残高を遊戯額と同じ額にすると共に、第１使用可能残高を＄０にする。トランザクション管理装置１００は、遊戯額が第２残高よりも大きい場合に、第２残高の全てを第２使用可能残高にして第２残高を＄０にすると共に、遊戯額と第２残高との差分を第１使用可能残高にしてもよい。
【００８５】
図８Ａ及び図８Ｂは、第１残高及び第２残高と、第１使用可能残高及び第２使用可能残高との関係を示す。図８Ａにおいて、ユーザの第１残高は＄１０００であり、第２残高は＄３００である。トランザクション要求装置２００において、遊戯に使用できる残高はなく、第１使用可能残高及び第２使用可能残高は、両方とも＄０である。この状態で、ユーザがスロットマシンとして機能するトランザクション要求装置２００において＄４００だけ遊びたいと考えたとする。
【００８６】
取得部２１０がユーザから遊戯額＄４００を取得すると、送信部２２０は、トランザクション要求額を＄４００とするトランザクション要求をトランザクション管理装置１００に送信する。判定部１３０は、トランザクション要求額の＄４００が第１残高及び第２残高の合計額よりも小さいので、トランザクションを許可する。
【００８７】
管理部１４０は、優先的に第２残高を使用するために、例えば、第２残高から＄３００を使用し、第１残高から＄１００を使用することが望ましいと判断し、図８Ｂに示すように、図８Ａに示した第１残高から＄１００を差し引いて第１残高を＄９００に更新し、第２残高から＄３００を差し引いて、第２残高を＄０に更新する。また、管理部１４０は、ユーザがトランザクション要求装置２００で使用できる第１使用可能残高を＄１００、第２使用可能残高を＄３００とする。
【００８８】
図９は、スロットマシンの表示画面の一例を示す。同図の表示画面には、使用可能残高２６１、第１使用可能残高２６２、第２使用可能残高２６３、回転ホイール２６４、スピンボタン２６５、ストップボタン２６６、掛け金選択ボタン２６７及びキャッシュアウトボタン２６８が表示されている。
【００８９】
遊戯部２６０は、ユーザから遊戯の開始の指示を受けた後に、遊戯の結果に応じて、第１使用可能残高及び第２使用可能残高の少なくとも１つを増減する。遊戯部２６０は、遊戯に要する遊戯料金が第１使用可能残高及び第２使用可能残高の合計額以下の間は遊戯を実行させてよい。
【００９０】
具体的には、遊戯部２６０は、ユーザが掛け金選択ボタン２６７で掛け金を選択してからスピンボタン２６５を押すと、回転ホイール２６４にさまざまな種類の記号を変化させながら回転表示する。遊戯部２６０は、ユーザがストップボタン２６６を押すと回転ホイール２６４の回転表示を停止する。遊戯部２６０は、回転表示を停止したタイミングにおける複数の記号の組み合わせに応じて、ユーザの使用可能残高を増減する。例えば、遊戯部２６０は、同じ種類の記号が揃った場合には使用可能残高を増額させ、同じ種類の記号が全くない場合には、使用可能残高を減額させる。
【００９１】
取得部２１０は、ユーザが遊戯をしている間に、ユーザから第１使用可能残高を使用するか第２使用可能残高を使用するかの指示を取得してもよい。遊戯部２６０は、第１使用可能残高を使用する場合と第２使用可能残高を使用する場合とで異なる還元率で、遊戯に応じて第１使用可能残高又は第２使用可能残高を増やしてもよい。ここで、還元率とは、ユーザが使った金額に対してユーザが得た金額の割合である。
【００９２】
第１使用可能残高が、ユーザが現金を支払って購入した第１クレジットの残高の一部であるのに対して、第２使用可能残高は、カジノ運営会社が無料でユーザに配布した第２クレジットの残高の一部である。そこで、遊戯部２６０は、第１使用可能残高を使用する場合の還元率を、第２使用可能残高を使用する場合の還元率よりも高くしてもよい。
【００９３】
カジノ運営会社が、第２クレジットを利用するユーザがもっとスロットマシンを使ってみたいと思うように仕向けたい場合、遊戯部２６０は、第２使用可能残高を使用する場合の還元率を、第１使用可能残高を使用する場合の還元率よりも高くしてもよい。
【００９４】
第２クレジットは第１クレジットと異なり流通貨幣に換金できないので、一般的なユーザは、できるだけ第１クレジットを残し、第２クレジットを使用したいと考える。そこで、遊戯部２６０は、第２使用可能残高を優先的に使用すると共に、第２使用可能残高がなくなった後に第１使用可能残高を使用してもよい。例えば、遊戯部２６０は、第２使用可能残高がある場合には、「はずれ」の場合に第２使用可能残高を減額する。遊戯部２６０は、「当たり」の場合に第２使用可能残高を増額する。
【００９５】
遊戯部２６０は、「当たり」の種類に応じて、第１使用可能残高を増額するか第２使用可能残高を増額するかを決定してもよい。ユーザにとっては、第１使用可能残高が増額される方が好ましい。そこで、遊戯部２６０は、発生頻度がより低い「当たり」の場合に第１使用可能残高を増額してもよい。
【００９６】
遊戯部２６０は、「当たり」の場合に、第１の金額だけ第１使用可能残高を増額するか、第１の金額よりも大きい第２の金額だけ第２使用可能残高を増額するかをユーザに選択させてもよい。ユーザは、少ない金額でもよいから流通貨幣に換金可能な第１使用可能残高を増やすか、流通貨幣に換金できない第２使用可能残高でもよいから少しでも金額を増やすかを選択することができるので、ゲームの楽しみが増す。
【００９７】
ユーザがゲームを終了する場合、取得部２１０は、ユーザから遊戯を終了する終了指示を取得する。例えば、取得部２１０は、ユーザがキャッシュアウトボタン２６８を押したことを検出することで、終了指示を取得する。
【００９８】
取得部２１０が終了指示を取得すると、送信部２２０は、第１使用可能残高及び第２使用可能残高を含むトランザクション要求をトランザクション管理装置１００に送信する。送信部２２０は、要求するトランザクションがローカルクレジットを使用する決済トランザクションであるか、ローカルクレジットを増額させるチャージトランザクションであるかを示す情報を含むトランザクション要求を送信してもよい。
【００９９】
送信部２２０は、第１使用可能残高及び第２使用可能残高の少なくとも１つがプラスの値を示している場合には、チャージトランザクションであることを示す情報を含むトランザクション要求を送信してよい。送信部２２０は、トランザクション要求額にマイナス符号を付したり、他の特定の記号を含むトランザクション要求額を送信したりすることで、チャージトランザクションを要求していることを示してもよい。
【０１００】
トランザクション要求を受けたトランザクション管理装置１００においては、管理部１４０は、記憶部１２０から読み出した第１残高に第１使用可能残高を加算すると共に、第２残高に第２使用可能残高を加算する。管理部１４０は、加算後の第１残高及び第２残高を記憶部１２０に保存すると共に、トランザクション要求装置２００に送信する。
【０１０１】
トランザクション要求装置２００においては、受信部２３０が管理部１４０から送信された第１残高及び第２残高を受信し、表示部２４０は、取得部２１０が終了指示を取得した後にトランザクション管理装置１００において更新された第１残高及び第２残高を表示する。
【０１０２】
［スロットマシンとして機能するトランザクション要求装置２００で遊戯する場合の通信シーケンス］
図１０Ａは、本実施形態のトランザクション管理システム１０における通信シーケンスの一例を示す。本実施形態におけるトランザクション要求装置２００は、スロットマシンとして機能する。ユーザは、第１クレジット又は第２クレジットを用いてスロットマシンとして機能するトランザクション要求装置２００で遊戯する。
【０１０３】
ユーザが、当該ユーザに固有の識別情報が格納されているカードをトランザクション要求装置２００に近づけると、取得部２１０は識別情報を取得する。例えば、ユーザはホテルやカジノに入る時に現金を支払うことにより、識別情報が格納されているカードを取得する。送信部２２０は、識別情報に対応するユーザのローカルクレジットの残高を確認するための残高要求をトランザクション管理装置１００に送信する。
【０１０４】
トランザクション管理装置１００においては、要求受信部１１０が残高要求を受信すると、管理部１４０は、識別情報に対応する第１残高及び第２残高を記憶部１２０から読み出して、トランザクション要求装置２００に対して送信する。トランザクション要求装置２００においては、受信部２３０が受信した第１残高及び第２残高を表示部２４０が表示する（Ｓ２０２）。
【０１０５】
続いて、取得部２１０は、ユーザがスロットマシンでの遊戯に使う予定の遊戯額を取得する。取得部２１０は、第１クレジットを用いて遊戯するための第１遊戯額と、第２クレジットを用いて遊戯するための第２遊戯額とを取得してもよい。送信部２２０は、ユーザの識別情報と取得部２１０が取得した遊戯額を含むトランザクション要求をトランザクション管理装置１００に送信する。
【０１０６】
トランザクション管理装置１００においては、判定部１３０が、識別情報に対応づけて記憶されている第１残高及び第２残高とトランザクション要求額とを比較して、トランザクション要求を許可するか否かを判定する（Ｓ２０４）。管理部１４０は、判定部１３０が判定した結果に基づいて、トランザクションを実行した後の第１残高及び第２残高を記憶部１２０に格納する（Ｓ２０６）。さらに、管理部１４０は、トランザクションを実行した後の第１残高、第２残高、第１使用可能残高及び第２使用可能残高を含むトランザクション許可通知をトランザクション要求装置２００に送信する。
【０１０７】
トランザクション要求装置２００においては、表示部２４０が第１使用可能残高及び第２使用可能残高を表示する（Ｓ２０８）。表示部２４０は、第１残高及び第２残高を表示してもよい。判定部１３０がトランザクションを許可しなかった場合には、管理部１４０は、トランザクションが許可されなかったことをトランザクション要求装置２００に通知する。
【０１０８】
［トランザクション要求装置２００として機能する無線情報端末３００によるトランザクションの通信シーケンス］
図１０Ｂは、本実施形態のトランザクション管理システム１０における通信シーケンスの他の例を示す。本実施形態における無線情報端末３００はトランザクション要求装置２００として機能する。ユーザは、無線情報端末３００を用いて第１クレジット又は第２クレジットをチャージしたり、第１クレジット又は第２クレジットを用いて決済をしたりすることができる。
【０１０９】
ユーザが、トランザクション管理システム１０でチャージ又は決済をするためのアプリケーションソフトを起動すると、無線情報端末３００は予め記憶しているユーザの識別情報を含む残高要求をトランザクション管理装置１００に送信する。
【０１１０】
トランザクション管理装置１００においては、要求受信部１１０が残高要求を受信すると、管理部１４０は、識別情報に対応する第１残高及び第２残高を記憶部１２０から読み出して、無線情報端末３００に対して送信する。無線情報端末３００においては、受信部２３０が受信した第１残高及び第２残高を表示部２４０が表示する（Ｓ２０２）。
【０１１１】
続いて、無線情報端末３００内の取得部２１０は、ユーザがチャージ又は決済する金額を取得する。送信部２２０は、ユーザの識別情報と取得部２１０が取得したチャージ又は決済する金額に対応するトランザクション要求額とを含むトランザクション要求をトランザクション管理装置１００に送信する。以下の手順は、図１０に関連して説明した手順と同等である。
【０１１２】
［ユーザの無線情報端末を使ってトランザクション要求装置２００で遊戯する場合のシーケンス］
図１１は、本実施形態のトランザクション管理システム１０における通信シーケンスの他の例を示す。図１１に示す通信シーケンスにおいては、ユーザは、無線情報端末３００を用いてトランザクションを行う。図１２は、無線情報端末３００の表示画面の一例を示す。一例として、ユーザは、無線情報端末３００を用いてスロットマシンとして機能するトランザクション要求装置２００にローカルクレジットの一部を移して、トランザクション要求装置２００で遊戯をする。
【０１１３】
まず、ユーザは無線情報端末３００を操作して、トランザクションを行うためのアプリケーションソフトを起動する。無線情報端末３００においてアプリケーションソフトが起動すると、無線情報端末３００は、トランザクション管理装置１００に対してユーザの識別情報を含む残高要求を送信する。トランザクション管理装置１００は、残高要求を受信すると、識別情報に対応する第１残高及び第２残高を無線情報端末３００に送信する。無線情報端末３００は、受信した第１残高及び第２残高を表示する（Ｓ３０２）。例えば、図１２には、第１残高＄１００、第２残高＄５０、及び、残高の合計額＄１５０が表示されている。
【０１１４】
続いて、ユーザがロードと表示されたボタンを押すと、無線情報端末３００は、トランザクション要求装置２００にトランスファーするローカルクレジットの金額（遊戯額）を入力する画面を表示する。無線情報端末３００は、第１残高及び第２残高を組み合わせた複数の遊戯額候補を表示してもよい。例えば、無線情報端末３００は、第１残高を＄１００使用する第１遊戯額候補、第１残高を＄５０使用し第２残高を＄５０使用する第２遊戯額候補、第２残高を＄５０使用する第３遊戯額候補を表示する。
【０１１５】
ユーザが、トランザクション要求装置２００にトランスファーするローカルクレジットの金額を無線情報端末３００において選択又は入力した後に無線情報端末３００をトランザクション要求装置２００に近づけると、取得部２１０は、ＮＦＣを介してユーザの識別情報及び上記の遊戯額を無線情報端末３００から取得する。送信部２２０は、取得した識別情報及び遊戯額に対応するトランザクション要求額を含むトランザクション要求をトランザクション管理装置１００に送信する。
【０１１６】
トランザクション要求を受信したトランザクション管理装置１００において、判定部１３０がトランザクションを許可すると、管理部１４０は、記憶部１２０に記憶されていた第１残高及び第２残高のいずれかからトランザクション要求額を差し引いて第１残高及び第２残高を更新する（Ｓ３０４）。
【０１１７】
続いて、管理部１４０はトランザクション要求装置２００に対して第１残高、第２残高、第１使用可能残高及び第２使用可能残高を含むトランザクション許可通知を送信する。トランザクション要求装置２００においては、受信部２３０がトランザクション許可通知を受信すると、表示部２４０は、トランザクション要求額に相当する使用可能残高を表示する（Ｓ３０６）。表示部２４０は、第１クレジットにより遊戯できる第１使用可能残高と第２クレジットにより遊戯できる第２使用可能残高とを表示してもよい。表示部２４０は、第１残高及び第２残高をさらに表示してもよい。この時点で、ユーザはトランザクション要求装置２００で遊戯を開始できる。
【０１１８】
トランザクション要求装置２００は無線情報端末３００に対して第１残高及び第２残高を送信し、無線情報端末３００は、受信した第１残高及び第２残高を表示してもよい（Ｓ３０８）。ここで無線情報端末３００が表示する第１残高及び第２残高の合計額は、Ｓ３０２で表示した第１残高及び第２残高の合計額から第１使用可能残高及び第２使用可能残高の合計額を差し引いた金額である。
【０１１９】
ユーザは、トランザクション要求装置２００で遊戯を終了する場合、トランザクション要求装置２００に設けられたキャッシュアウトボタンを押す。取得部２１０が、キャッシュアウトボタンにより遊戯終了の指示を取得すると、送信部２２０は、第１使用可能残高及び第２使用可能残高の少なくとも１つをトランザクション要求額として含むトランザクション要求をトランザクション管理装置１００に送信する。
【０１２０】
管理部１４０は、第１使用可能残高及び第２使用可能残高を含むトランザクション要求を受信すると、記憶部１２０から第１残高及び第２残高を読み出す。続いて、管理部１４０は、トランザクション要求に含まれていた第１遊戯残高及び第２遊戯残高に相当する金額を第１残高及び第２残高に加えた後に記憶部１２０に格納する（Ｓ３１０）。
【０１２１】
管理部１４０は、更新後の第１残高及び第２残高をトランザクション要求装置２００に送信し、表示部２４０は、更新後の第１残高及び第２残高を表示する（Ｓ３１２）。トランザクション要求装置２００は、トランザクション管理装置１００から受信した更新後の第１残高及び第２残高を無線情報端末３００に送信し、無線情報端末３００は更新後の第１残高及び第２残高を表示してもよい（Ｓ３１４）。
【０１２２】
ここで無線情報端末３００が表示する第１残高及び第２残高の合計額は、Ｓ３０２で表示した合計額に対して、ユーザがトランザクション要求装置２００で使用した金額だけ少なく、Ｓ３０８で表示した合計額に対して第１遊戯残高及び第２遊戯残高の合計額だけ大きい。
【０１２３】
無線情報端末３００は、Ｓ３０２において第１残高及び第２残高を表示させた後に、トランザクション要求装置２００にトランスファーするローカルクレジットの金額をユーザから取得すると、トランザクション要求装置２００にトランスファー額を送信する代わりに、トランザクション管理装置１００にトランスファー額をトランザクション要求額として含むトランザクション要求を送信してもよい。例えば、無線情報端末３００は、トランザクション要求装置２００からトランザクション要求装置２００の装置識別情報を取得し、トランザクション要求額とトランスファー先の装置識別情報とをトランザクション管理装置１００に送信する。
【０１２４】
［情報記憶カードを使ってトランザクション要求装置２００で遊戯する場合のシーケンス］
図１３は、本実施形態のトランザクション管理システム１０における通信シーケンスの他の例を示す。図１３に示す通信シーケンスにおいては、ユーザは、識別情報が格納された情報記憶カードを使ってトランザクション要求装置２００で遊戯をする。
【０１２５】
まず、ユーザは、情報記憶カードをトランザクション要求装置２００に近づける。情報記憶カードとは、例えば、カード又はユーザに固有の識別情報を記憶している。情報記憶カードは、例えば、磁気カード、ＮＦＣカード又はＩＣカードである。
【０１２６】
取得部２１０が情報記憶カードに格納されているユーザの識別情報を取得すると、送信部２２０は、識別情報を含む残高要求をトランザクション管理装置１００に送信する。トランザクション管理装置１００は、残高要求を受信すると、識別情報に対応する第１残高及び第２残高をトランザクション要求装置２００に送信する。トランザクション要求装置２００は、受信した第１残高及び第２残高を表示する（Ｓ４０２）。
【０１２７】
次に、ユーザは、トランザクション要求装置２００に表示された第１残高及び第２残高を見た後に、トランザクション要求装置２００の操作画面を用いて遊戯する金額（遊戯額）を入力する。トランザクション要求装置２００は、ユーザから遊戯額を取得すると、遊戯額を含むトランザクション要求をトランザクション管理装置１００に送信する。
【０１２８】
管理部１４０は、記憶部１２０が記憶している第１残高及び第２残高から遊戯額を差し引くことにより、記憶部１２０が記憶する第１残高及び第２残高を更新した後に（Ｓ４０４）、トランザクション要求装置２００に対して、更新後の第１残高及び第２残高、並びに、第１使用可能残高及び第２使用可能残高を送信する。管理部１４０は、予め識別情報に対応づけて記憶していたユーザの無線情報端末３００に対して、第１残高及び第２残高を含む電子メールを送信してもよい。
【０１２９】
続いて、表示部２４０は、第１使用可能残高及び第２使用可能残高を表示する（Ｓ４０６）。無線情報端末３００は、トランザクション管理装置１００から受信した第１残高及び第２残高を表示してもよい（Ｓ４０８）。
【０１３０】
ユーザは、トランザクション要求装置２００で遊戯を終了する場合、トランザクション要求装置２００に設けられたキャッシュアウトボタンを押す。以下の通信シーケンスは、図１１に示した通信シーケンスと同等である。
【０１３１】
［第２クレジットの使用条件ごとに残高を決める］
図１４は、記憶部１２０が記憶している識別情報、第１残高及び第２残高の第２の例を示す。図１４に示すように、管理部１４０は、第２クレジットの使用条件に対応づけて、少なくとも１つの第２残高を記憶部１２０に記憶させてもよい。
【０１３２】
図１４においては、第２残高が、第２クレジットの使用条件ごとに定められている。例えば、図１４においては、記憶部１２０は、カジノ１に対しては＄２００、カジノ２に対しては＄１００、レストランに対しては＄３００、ショップに対しては＄４００の第２残高を識別情報０００１に対応づけて記憶している。ユーザは、使用条件が定められた第２クレジットを、使用条件ごとにそれぞれの使用条件に対応する第２残高まで使用することができる。例えば、識別情報０００１のユーザは、合計＄１０００の第２クレジットのうち、レストランで＄３００まで使用することができると共に、カジノ１では＄２００まで使用することができる。
【０１３３】
このように、トランザクション管理装置１００が、使用条件に対応する第２残高を管理する場合、ユーザは、使用条件に対応する残高を確認することができる。トランザクション要求装置２００において、取得部２１０がユーザからの残高確認指示を取得すると、送信部２２０は、第１クレジット及び第２クレジットの使用条件を示す情報を含む残高要求をトランザクション管理装置１００に送信する。表示部２４０は複数の使用条件を表示し、取得部２１０は表示された複数の使用条件のうちユーザが選択した使用条件を取得し、送信部２２０は選択された使用条件を示す情報を含む残高要求を送信してもよい。
【０１３４】
トランザクション管理装置１００が残高要求を受信すると、管理部１４０は、記憶部１２０が記憶している、使用条件に対応する第１残高及び第２残高を読み出して、トランザクション要求装置２００に送信する。
【０１３５】
受信部２３０は、ユーザの識別情報に対応する第１残高及び第２残高のうち、送信部２２０が送信した使用条件において使用できる第１残高及び第２残高をトランザクション管理装置１００から受信する。表示部２４０は、使用条件において使用できる第１残高及び第２残高の少なくとも１つを表示する。表示部２４０は、送信した残高要求が含んでいた使用条件において使用できる複数の第２残高の合計額を表示してもよい。
【０１３６】
トランザクション要求装置２００は、予めトランザクション管理装置１００から受信した情報に基づいて、トランザクション要求装置２００を使用するユーザの識別情報に対応する第１残高及び第２残高のうち、ユーザがローカルクレジットを使用しようとしている使用条件に対応する第１残高及び第２残高の少なくとも１つを抽出して表示してもよい。例えば、トランザクション要求装置２００は、全ての使用条件に対応する第１残高及び第２残高を予め取得しておく。トランザクション要求装置２００は、ローカルクレジットの使用条件をユーザから取得すると、取得した使用条件に対応する第１残高及び第２残高を表示する。
【０１３７】
ユーザが商品又はサービスを購入したい場合、送信部２２０は、第１クレジット及び第２クレジットの使用条件を示す情報を含むトランザクション要求をトランザクション管理装置１００に送信する。要求受信部１１０は、第２クレジットの使用条件、及び、当該使用条件に対応するトランザクション要求額を含むトランザクション要求を受信する。例えば、ユーザがカジノ１のスロットマシンで遊戯するために＄１００の第２クレジットを使用したい場合、送信部２２０は、使用条件がカジノ１での遊戯であり、トランザクション要求額が＄１００であることを示す情報を含むトランザクション要求をトランザクション管理装置１００に送信する。
【０１３８】
図１５は、送信部２２０が送信するトランザクション要求の一例を示す。送信部２２０は、識別情報、トランザクション要求額及び使用条件を含むトランザクション要求パケットを送信してよい。図１５において、トランザクション要求パケットは、識別情報フィールド、第１トランザクション要求額フィールド及び第２トランザクション要求額フィールドを含む。
【０１３９】
第２トランザクション要求額フィールドは、使用条件ごとのトランザクション要求額を示すサブフィールドを有する。具体的には、第２トランザクション要求額フィールドは、第１の使用条件を示す情報を含む使用条件サブフィールド、当該使用条件におけるトランザクション要求額サブフィールド、及び、第２クレジットを使用して決済するのか第２クレジットをチャージするのかを示すトランザクション種別サブフィールドを有する。
【０１４０】
送信部２２０は、使用条件サブフィールドに、使用条件に対応する使用条件コードを割り当ててもよい。例えば、送信部２２０は、使用条件がカジノ１のスロットマシンであれば使用条件サブフィールドに０１を入れ、使用条件がレストランでの食事であれば使用条件サブフィールドに０３を入れる。トランザクション要求装置２００及びトランザクション管理装置１００が、それぞれ使用条件に対応づけて使用条件コードを記憶しておくことで、トランザクション管理システム１０は、使用条件ごとに第２クレジットを管理することができる。
【０１４１】
判定部１３０は、トランザクション要求が含む使用条件に対応するトランザクション要求額と当該使用条件に対応する少なくとも１つの第２残高とを比較した結果に基づいて、トランザクションの可否を判定する。具体的には、判定部１３０は、トランザクション要求に含まれているトランザクション要求額が、トランザクション要求に含まれている使用条件を含む使用条件に対応する第２残高以下である場合には、トランザクションを許可する。
【０１４２】
判定部１３０は、トランザクション要求に含まれているトランザクション要求額が、トランザクション要求に含まれている使用条件で使用できる第２残高よりも大きい場合には、トランザクションを禁止する。判定部１３０がトランザクションを許可すると、管理部１４０は、判定部１３０が許可した使用条件に対応する第２残高からトランザクション要求額を減額して記憶部１２０に記憶させる。
【０１４３】
例えば、要求受信部１１０が受信したスロットマシンでの使用を使用条件とするトランザクション要求額が＄１００であり、カジノで使用することができる第２残高が＄２００である場合、判定部１３０は、スロットマシンにおいて＄１００を使用することを許可する。管理部１４０は、記憶部１２０が記憶しているカジノに対応する第２残高を＄２００から＄１００に減額して更新する。
【０１４４】
以上の通り、トランザクション管理装置１００が第２クレジットの使用条件ごとに第２残高を管理することにより、トランザクション管理システム１０を導入した会社は、ユーザに対する販売促進手段としてトランザクション管理システム１０を活用することができる。例えば、トランザクション管理システム１０を導入した会社は、ユーザごとに異なる使用条件の第２クレジットを発行したり、時期に応じて異なる使用条件の第２クレジットを発行したりすることにより、販売したい商品やサービスを効果的にプロモーションすることができる。
【０１４５】
管理部１４０は、要求受信部１１０が受信した第１の使用条件を含むトランザクション要求に応じて第１残高及び第２残高のうちの少なくとも１つを更新すると、第１の使用条件に対応する第２の使用条件に対応する第２残高を第１の使用条件に対応する加算額に従って増額させてもよい。例えば、管理部１４０は、ユーザがレストランで第１クレジットを＄１００使用したら、カジノで使用できる第２クレジットの第２残高を、第１クレジットが使用された金額の所定の割合（例えば＄１０）だけ加算する。管理部１４０は、ユーザが宝石店で第２クレジットを所定の金額以上（例えば＄２００以上）使用したら、カジノで使用できる第２クレジット及びレストランで使用できる第２クレジットの第２残高をそれぞれ所定の金額だけ加算してもよい。
【０１４６】
このようにローカルクレジットが使用された時に、使用されたローカルクレジットの使用条件と異なる使用条件に対応する第２残高を増額させることにより、トランザクション管理システム１０を利用する会社は、ユーザから得た収益の一部を用いて、他のサービスのプロモーションに使用できるという効果を奏する。管理部１４０は、第１クレジットが使用された場合と、第２クレジットが使用された場合とで、使用された金額に対して異なる割合の第２残高を増額させてもよい。
【０１４７】
管理部１４０は、管理部１４０が第１残高及び第２残高の少なくとも１つを変更したときに第１残高及び第２残高の少なくとも１つが所定の金額の範囲内である場合に、第１残高及び第２残高に応じた加算額に従って第２残高を増額させてもよい。例えば、トランザクション管理システム１０を利用する会社は、第１残高が所定の金額以上である場合にユーザに第２クレジットを発行することにより、ユーザが第１残高を増やすように動機づけることができる。
【０１４８】
管理部１４０は、トランザクション要求が含む使用条件に対応するトランザクション要求額が、使用条件に対応する第２残高よりも大きい場合には、使用条件に対応するトランザクション要求額のうち第２残高と同一の額を使用条件に対応する第２残高から減額すると共に、使用条件に対応するトランザクション要求額と使用条件に対応する第２残高との差額を第１残高から減額してもよい。一例として、管理部１４０は、トランザクション要求が含む使用条件に対応する第２残高を記憶部１２０が記憶している場合には、第２残高からトランザクション要求額を減額し、トランザクション要求が含む使用条件に対応する第２残高を記憶部１２０が記憶していない場合には、第１残高からトランザクション要求額を減額してもよい。
【０１４９】
具体的には、管理部１４０は、使用条件が「レストランの利用」であるトランザクション要求を受信した場合に、トランザクション要求額が「レストランの利用」という使用条件に対応する第２残高以下であれば、第２クレジットによるトランザクションを許可する。管理部１４０は、トランザクション要求額（例えば＄１００）がレストランで利用できる第２残高（例えば＄６０）より大きい場合には、レストランで利用できる第２残高を＄０にした上で、トランザクション要求額（＄１００）と使用した第２残高（＄６０）との差額（＄４０）を第１残高から減額する。
【０１５０】
管理部１４０は、使用条件が「洋服の購入」であるトランザクション要求を受信したにもかかわらず、トランザクション要求に含まれている識別情報に対応するユーザが、洋服を購入できる第２クレジットを与えられていない場合には、第１クレジットによるトランザクションを実行する。管理部１４０は、第１残高及び第２残高を更新すると、トランザクション要求装置２００に対してトランザクション許可通知を送信する。管理部１４０が以上のようにトランザクションを実行することにより、ユーザは、第２クレジットを優先的に使用し、第２クレジットが使用条件に一致しない場合は、第１クレジットを使用することができる。
【０１５１】
トランザクション管理装置１００は、トランザクション要求装置２００から受信したトランザクション要求が含む使用条件に基づいて、第１クレジットを使用すべきか第２クレジットを使用すべきかを判断してもよい。
【０１５２】
具体的には、要求受信部１１０は、第２クレジットの使用条件を含むトランザクション要求を受信する。判定部１３０は、トランザクション要求に含まれていた少なくとも１つの使用条件に応じて、第１クレジット及び第２の両方を使用すべきか、又は、第１クレジット及び第２クレジットのいずれの部分を使用すべきかを判定する。判定部１３０は、当該判定の結果に基づいて選択された第１残高及び第２残高をトランザクション要求額に基づいて更新する。
【０１５３】
例えば、判定部１３０は、記憶部１２０から使用条件に対応する第２残高を読み出す。判定部１３０は、トランザクション要求に含まれていた使用条件に対応する第２残高が＄０でない場合には、判定部１３０は、第２クレジットを第１クレジットよりも優先して使用すべきであると判断する。判定部１３０は、使用条件に対応する第２残高が＄０である場合には、第１クレジットを使用すべきであると判断する。なお、判定部１３０は、第１クレジットを使用すべきか第２クレジットを使用すべきかの判定と、トランザクションを許可するか否かの判定とを、異なるコンピュータを用いて実行してもよい。
【０１５４】
以上の通り、トランザクション管理装置１００が、使用条件に基づいて使用すべきローカルクレジットの種別を判断することで、ユーザ又はトランザクション要求装置２００は、使用条件ごとに第１クレジットを使用すべきか第２クレジットを使用すべきかを判断する必要がなくなる。
【０１５５】
図１６Ａから図１６Ｄは、使用条件に対応する残高を表示する無線情報端末３００の表示画面を示す。図１６Ａは、ローカルクレジットの使用条件を選択する「使用条件」ボタンを表示している点で、図２に示した表示画面と異なる。ユーザが「使用条件」ボタンを押すと、無線情報端末３００は、図１６Ｂに示すように使用条件を選択する画面を表示する。図１６Ｂにおいては、無線情報端末３００は使用条件として「カジノ」、「レストラン」、「ショップ」を表示している。無線情報端末３００は、ユーザの操作に応じて、他の使用条件を表示してもよい。
【０１５６】
図１６Ｃは、ユーザが使用条件として「カジノ」を選択した場合の表示画面を示す。無線情報端末３００は、カジノで使用することができるローカルクレジットの残高を表示している。具体的には、カジノで使用できる第２クレジットが＄４００であり、第１クレジットが＄３００なので、カジノで使用できる合計額は＄７００である。ユーザは、ロードボタンを押すことにより、＄７００までの金額をスロットマシンとして機能するトランザクション要求装置２００にトランスファーすることができる。無線情報端末３００は、カジノで使用できる残高を表示している間は、購入ボタンを使用できない状態にしてもよい。
【０１５７】
図１６Ｄは、ユーザが使用条件として「ショップ」を選択した場合の表示画面を示す。ショップで使用できる第２クレジットが＄１００なので、無線情報端末３００は、残高の合計額を＄４００と表示している。無線情報端末３００は、ユーザが購入ボタンを押すと、店で購入することができる商品を表示してもよい。
【０１５８】
［第２クレジットの有効期間を限定する］
図１７は、記憶部１２０が記憶している識別情報、第１残高及び第２残高の第３の例を示す。管理部１４０は、使用条件の１つとして、第２クレジットを使用することができる期間を示す有効期間を識別情報に対応づけて記憶部１２０に記憶させてもよい。管理部１４０は、有効期間以外の使用条件ごとに、有効期間を識別情報に対応づけて記憶部１２０に記憶させてもよい。
【０１５９】
一例として、図１７においては、記憶部１２０は第２クレジットの使用条件ごとに定められた有効期間の終了日を記憶している。具体的には、識別情報０００１のユーザがカジノ１で使用することができる第２クレジットの金額は＄２００であり、有効期間は２０１２年５月３１日までであることを示している。管理部１４０は、有効期間の開始日と終了日を記憶部１２０に記憶させてもよい。
【０１６０】
記憶部１２０が、第２クレジットの有効期間を記憶している場合、判定部１３０は、トランザクション要求を受信した日時が有効期間に含まれているか否かに基づいて、トランザクションの可否を判定する。例えば、要求受信部１１０は、第２クレジットの用途を示す使用条件、及び、当該使用条件に対応するトランザクション要求額を含むトランザクション要求を受信する。判定部１３０は、トランザクション要求を受信した時間、トランザクション要求が含む使用条件、及び、使用条件に対応する許可期間に基づいて、トランザクションの可否を判定する。
【０１６１】
具体的には、判定部１３０は、トランザクション要求を受信した日時が有効期間に含まれている場合には、第２クレジットのトランザクションを許可する。判定部１３０は、トランザクション要求を受信した日時が有効期間に含まれていない場合には、第２クレジットのトランザクションを許可しない。判定部１３０は、トランザクション要求を受信した日時が有効期間に含まれていない場合において、トランザクション要求額が第１クレジットの第１残高以下である場合には、第１クレジットによるトランザクションを許可してもよい。
【０１６２】
管理部１４０は、有効期間が終了している第２クレジットの第２残高を＄０にしてもよい。管理部１４０は、第２クレジットの有効期間が終了した時点で、有効期間が終了したことをトランザクション要求装置２００に通知してもよい。
【０１６３】
以上の通り、トランザクション管理システム１０において、第２クレジットの有効期間を設けることにより、第２クレジットを発行する会社は、商品やサービスの販売計画に合わせて戦略的に第２クレジットを発行できるという効果が生じる。
【０１６４】
［使用条件が異なる複数の第２クレジットを組み合わせて使用可能にする］
トランザクション管理システム１０は、ユーザに、使用条件が異なる複数の第２クレジットを組み合わせて使用させてもよい。すなわち、ユーザがトランザクション要求装置２００において第２クレジットを用いて商品又はサービスを購入する場合に、ユーザは、当該商品又はサービスの購入に利用することができる複数の第２クレジットを組み合わせて使用することができる。
【０１６５】
具体的には、トランザクション要求装置２００の取得部２１０がユーザから商品の購入の指示を取得すると、送信部２２０は、当該商品名及び金額を含むトランザクション要求をトランザクション管理装置１００に送信する。判定部１３０は、トランザクション要求額が、トランザクション要求が含む使用条件に対応する複数の第２残高の合計額よりも小さい場合にトランザクションを許可する。
【０１６６】
例えば、ユーザがカジノ内のレストランでの食事において第２クレジットを使用したい場合に、判定部１３０は、使用される金額がカジノで使用できる第２クレジットの第２残高とレストランで使用できる第２クレジットの第２残高の合計額の範囲内であれば、トランザクションを許可する。具体的には、カジノで使用できる第２クレジットの第２残高が＄２００であり、レストランで使用できる第２クレジットの第２残高が＄３００である場合に、カジノ内のレストランでは＄５００まで第２クレジットを使用できる。
【０１６７】
判定部１３０がトランザクションを許可すると、管理部１４０は、複数の第２残高からトランザクション要求額を減額する。具体的には、管理部１４０は、複数の第２残高のそれぞれから減額する額の合計額がトランザクション要求額に一致するように、複数の第２残高から減額する。
【０１６８】
管理部１４０は、トランザクション要求額がいずれかの使用条件の第２残高以内である場合には、トランザクション要求額よりも大きな第２残高からのみトランザクション要求額を減額してもよい。管理部１４０は、トランザクション要求額がいずれの使用条件の第２残高よりも大きい場合には、いずれか１つの使用条件の第２残高を＄０にした上で、他の使用条件の第２残高から、トランザクション要求額と１つ目の使用条件の第２残高との差額を減額してもよい。
【０１６９】
トランザクション要求装置２００においては、受信部２３０が管理部１４０から複数の第２残高を受信すると、表示部２４０は、ユーザが選択した使用条件において使用できる複数の第２残高の合計額を表示してもよい。例えば、表示部２４０は、カジノに対応する第２残高が＄２００であり、レストランに対応する第２残高が＄３００である場合に、カジノ内のレストランでは＄５００まで使用できることを表示する。無線情報端末３００が、ユーザが選択した使用条件において使用できる複数の第２残高の合計額を表示してもよい。
【０１７０】
使用条件は、第２クレジットを使用する商品又は場所に限定されない。例えば、ユーザが、カジノホテル内で自由に使える第１の第２クレジットを＄５、スロットマシンのみで午後１時まで有効な第２の第２クレジットを＄１０、スロットマシンのみで午後６時まで有効な第３の第２クレジットを＄８保有しているとする。この場合、トランザクション管理装置１００は、正午の時点では＄２３までのトランザクションを許可し、午後３時の時点では＄１３までのトランザクションを許可し、午後６時以降は＄５までのトランザクションを許可する。
【０１７１】
トランザクション要求装置２００は、トランザクション要求をトランザクション管理装置１００に送信する前に、ユーザが第２クレジットを使用しようとしている対象となる商品名又はサービス名を含む残高要求を送信してもよい。トランザクション管理装置１００において、管理部１４０は記憶部１２０を検索して、残高要求に含まれる商品名又はサービス名に対応する商品又はサービスの購入に使用できる複数の第２クレジットを抽出する。管理部１４０は、抽出した複数の第２クレジットの第２残高の合計額をトランザクション要求装置２００に送信する。トランザクション要求装置２００が受信した合計額を表示することにより、ユーザは、購入を検討している商品又はサービスを購入することができるか否かを容易に把握することができる。
【０１７２】
以上の通り、トランザクション管理システム１０において、使用条件が異なる複数の第２クレジットを組み合わせて使用できるようにすることで、第２クレジットを発行した会社の目的を満たしつつ、ユーザが最大限に第２クレジットを活用することができる。
【０１７３】
［第２クレジットのサービス利用額を集計する］
トランザクション管理装置１００は、トランザクション管理システム１０を利用する会社が第２クレジットを使用するサービス利用額を集計してもよい。具体的には、管理部１４０は、第２クレジットの発行者に対応づけて第２クレジットが使用された金額及び回数のうちの少なくとも１つを集計してもよい。
【０１７４】
具体的には、管理部１４０は、第２クレジットの発行者に対応づけて記憶部１２０に第２残高を記憶させる。例えば、管理部１４０は、第２クレジットのチャージトランザクション要求を受けると、当該トランザクション要求に対応する第２クレジットの発行者に対応づけてトランザクション要求額を記憶部１２０に記憶させる。管理部１４０は、発行者に対応する第２クレジットがチャージされた履歴及び使用された履歴を記憶部１２０に記憶させてもよく、これらの履歴を出力してもよい。
【０１７５】
管理部１４０は、所定期間内における第２クレジットの発行者に対応づけられた第２残高の減少額及び増加額の少なくとも１つを算出してよい。管理部１４０は、所定期間内における第２クレジットが使用された回数を、第２クレジットの発行者ごとに算出してもよい。トランザクション管理システム１０の運営者は、トランザクション管理システム１０を利用する会社から、当該会社が発行した第２クレジットが使用された金額に応じたサービス利用料を徴収してもよく、第２クレジットが使用された回数に応じたサービス利用料を徴収してもよい。
【０１７６】
管理部１４０は、さらに第２クレジットの使用条件に対応づけて、使用された金額又は使用された回数を集計してもよい。例えば、管理部１４０は、第２クレジットを使用することができる商品又はサービスの種類、店、エリアなどに応じて異なる手数料を算出する。
【０１７７】
以上の通り、トランザクション管理システム１０は、トランザクション管理システム１０を利用する会社ごとに、サービス利用額を集計することができるので、トランザクション管理システム１０を多くの会社に利用してもらうことができる。
【０１７８】
［トランザクションの累積額に応じてトランザクションを禁止する］
ユーザがローカルクレジットを使い過ぎることを防ぐために、管理部１４０は、所定期間内に識別情報に対応するユーザによりトランザクションが行われた金額の累積額、及び、所定期間内に識別情報に対応するユーザが使用できる累積使用可能残高を識別情報に対応づけて記憶部１２０に記憶させてもよい。判定部１３０は、トランザクション要求額及び累積額の合計額と累積使用可能残高とに基づいて、トランザクションの可否を判定する。管理部１４０は、トランザクションが行われた金額から現金に換金された金額を差し引いた金額を累積額として記憶部１２０に記憶させてもよい。
【０１７９】
具体的には、判定部１３０は、トランザクション要求額と所定期間内の累積額との合計額が、所定期間内に使用することができる累積使用可能残高以下である場合にはトランザクションを許可する。判定部１３０は、トランザクション要求額と、所定期間内の累積額との合計額が、所定期間内に使用することができる累積使用可能残高よりも大きい場合にはトランザクションを許可しない。
【０１８０】
図１８は、時間とローカルクレジットの残高との関係の一例を示す。横軸は、時間を示し、縦軸は、それぞれの時間における第１クレジットの残高を示す。例えば、時間ａにおいて、スロットマシンで遊戯するユーザは無線情報端末３００で遊戯額を＄５０に設定する。無線情報端末３００は遊戯額＄５０をトランザクション要求額とするトランザクション要求をトランザクション管理装置１００に送信する。トランザクション管理装置１００がトランザクションを許可すると、ユーザは、使用可能残高に相当する＄５０を使い切るまでスロットマシンで遊戯することができる。
【０１８１】
図１８においては、ユーザが２回に渡って＄１０ずつ使用した後にスロットマシンで賞金が当たり、＄５０が追加されて使用可能残額が＄８０にまで増えている。続いて、ユーザは＄１０使用した後に＄７０を使用し、時間ｂにおいては使用可能残額が＄０になっている。時間ｃにおいて、ユーザは無線情報端末３００で＄５０分の遊戯額を追加している。その後、ユーザは＄５０を使用し、時間ｄの時点での使用可能残高は＄０になっている。
【０１８２】
上記の例の場合、管理部１４０は、例えば、時間ａから時間ｄの間におけるトランザクションの累積額を＄５０＋＄５０＝＄１００と算出して、算出した累積額を記憶部１２０に記憶させる。判定部１３０は、トランザクション要求を受けると、記憶部１２０に記憶されている累積額及び累積使用可能残高を読み出す。
【０１８３】
ここで、時間ｅの時点で、ユーザが無線情報端末３００においてさらに＄５０の遊戯額を追加しようとしたとする。無線情報端末３００は、＄５０をトランザクション要求額とするトランザクション要求をトランザクション管理装置１００に送信し、要求受信部１１０が当該トランザクション要求を受ける。判定部１３０は、時間ｅまでの期間にユーザが使用できる第１クレジットの累積使用可能残高＄１００、及び、時間ｅの時点での累積額＄１００を記憶部１２０から読み出す。判定部１３０は、期間内の累積額が累積使用可能残高に達しているので、時間ｅにおけるトランザクションを許可しない。
【０１８４】
図１９は、時間とローカルクレジットの残高との関係の他の例を示す。図１９においては、時間ｂの時点で、ユーザが＄７０の使用可能残高を現金に交換している。このように、ユーザが第１クレジットの使用可能残高を現金に交換した場合、管理部１４０は、トランザクションが行われた金額から現金に換金された金額を差し引いた金額を累積額として記憶部１２０に記憶させてもよい。
【０１８５】
現金に交換された第１クレジットはスロットマシンにおける遊戯に使用されていないので、管理部１４０は、現金に交換された金額を差し引いて累積額を算出する。例えば、図１９の例の場合は、管理部１４０は、＄５０（時間ａ）−＄７０（時間ｂ）＋＄５０（時間ｃ）＝＄３０と累積額を算出して記憶部１２０に記憶させる。要求受信部１１０が時間ｅにおいて＄５０の遊戯額をトランザクション要求額として含むトランザクション要求を受信した場合、判定部１３０は、累積額とトランザクション要求額との合計額が累積使用可能残高以下なので、当該トランザクションを許可する。
【０１８６】
トランザクション管理装置１００は、ローカルクレジットの種類に応じて、所定期間内にトランザクションすることができる残高を定めてもよい。具体的には、管理部１４０は、所定期間内に第１クレジットが使用された第１累積額、及び、所定期間内に第２クレジットが使用された第２累積額と、所定期間内に第１クレジットを使用できる第１累積使用可能残高、及び、所定期間内に第２クレジットを使用できる第１累積使用可能残高よりも大きい第２累積使用可能残高を識別情報に対応づけて記憶部１２０に記憶させる。
【０１８７】
例えば、第２クレジットはトランザクション管理システム１０を利用する会社から無料で配布される場合が多いので、管理部１４０は、第２累積使用可能残高を第１累積使用可能残高よりも大きくする。管理部１４０は、第２累積使用可能残高を第１累積使用可能残高よりも小さくしてもよい。管理部１４０は、ユーザが現金又はクレジットカードによる決済で購入した第１クレジット又は第２クレジットの累積使用可能残高のみを定めてもよい。
【０１８８】
以上の通り、トランザクション管理システム１０は、所定期間内のトランザクションの累積額に応じてトランザクションの可否を判定することにより、ユーザがカジノにおいて金銭を過度に消費することを防止できるという効果を奏する。また、他人から不正に取得した第２クレジットを大量に使用することも防止できるので、第２クレジットを発行した会社が損失を被ることを防止できるという効果も奏する。
【０１８９】
［他のユーザにローカルクレジットを紹介したユーザにローカルクレジットを付与する］
トランザクション管理システム１０においては、他のユーザにローカルクレジットを使用するためのアプリケーションソフトを紹介したユーザに、ローカルクレジットを付与してもよい。具体的には、トランザクション管理システム１０を利用するためのアプリケーションソフトがインストールされている無線情報端末３００は、当該無線情報端末３００を使用する第１のユーザの操作によって、当該アプリケーションソフトをインストールしていない第２のユーザの無線情報端末３００に対して、アプリケーションソフトをダウンロードするサイトを特定する情報（例えばＵＲＬ）とユーザの識別情報とを通知する。
【０１９０】
第２のユーザの無線情報端末３００は、第１のユーザの無線情報端末３００から取得したＵＲＬに対応するトランザクション管理装置１００に対して、アプリケーションソフトを要求するメッセージ及び第１のユーザの識別情報を送信する。トランザクション管理装置１００は、第２のユーザの無線情報端末３００にアプリケーションソフトを送信すると共に、第１のユーザの識別情報に対応するローカルクレジットを増額させる。このようにすることで、トランザクション管理システム１０を利用するユーザの数を増やすことができる。
【０１９１】
［特定のエリアでは無線情報端末３００によるチャージを禁止する］
図２０は、トランザクション要求装置２００として機能する無線情報端末３００の位置の一例を示す。無線情報端末３００−１は、ユーザがスロットマシンで遊戯中であり、スロットマシンなどの遊戯装置が設置されているカジノエリアに位置していることを示している。無線情報端末３００−２は、ユーザがカジノエリアを出ていることを示している。
【０１９２】
トランザクション管理システム１０は、ユーザが、スロットマシンなどの遊戯装置で過度に金銭を消費することを防止するために、無線情報端末３００が所定のエリアにいる場合に、トランザクションを禁止してもよい。具体的には、トランザクション管理システム１０は、無線情報端末３００を用いて第１クレジットの第１残高を増やすチャージトランザクションを禁止してよい。例えば、無線情報端末３００は所定のビーコン信号を検出すると、トランザクション要求額を入力する画面を表示させない。無線情報端末３００は、ユーザが第１クレジットをチャージしようとする操作をすると、チャージできないことを表示してもよい。
【０１９３】
無線情報端末３００は、無線通信時に取得する無線ネットワークＩＤに応じて、トランザクションを禁止するか否かを判断してもよい。例えば、無線情報端末３００は無線ルータの識別情報に基づいて、トランザクションを禁止するか否かを判断する。無線情報端末３００は位置情報を取得し、位置情報に基づいてトランザクションを禁止するか否かを判断してもよい。
【０１９４】
以上のようにトランザクション管理システム１０は、所定のエリアにおいては無線情報端末３００を用いてのローカルクレジットのチャージを禁止することで、スロットマシンなどの遊戯に熱中したユーザが過度に金銭を遊戯に使用してしまうことを防止できる。
【０１９５】
［コンピュータによりトランザクション管理装置１００又はトランザクション要求装置２００を構成する］
図２１は、トランザクション管理装置１００又はトランザクション要求装置２００として機能するコンピュータ５００の構成例を示す。コンピュータ５００は、無線情報端末３００として機能してもよい。コンピュータ５００は、ＣＰＵ５１０、ＲＯＭ５２０、ＲＡＭ５３０、グラフィックコントローラ５４０、ディスプレイ５５０、通信インターフェイス５６０、ディスクドライブ５７０、記録媒体５８０及び入力デバイス５９０を備える。コンピュータ５００においては、記録媒体５８０に格納されたプログラムをＣＰＵ５００が読み出して実行することにより、トランザクション管理装置１００、トランザクション要求装置２００又は無線情報端末３００として機能する。
【０１９６】
ＣＰＵ５００は、ディスクドライブ５７０を介してハードディスク又はＣＤ−ＲＯＭ等の記録媒体５８０に格納されたプログラムを読み出して実行することにより、トランザクション管理装置１００、トランザクション要求装置２００又は無線情報端末３００として機能してもよく、通信インターフェイス５６０を介して他のコンピュータからダウンロードしたプログラムを実行することにより、トランザクション管理装置１００、トランザクション要求装置２００又は無線情報端末３００として機能してもよい。
【０１９７】
具体的には、ＣＰＵ５００は、プログラムを実行することにより、トランザクション管理装置１００における判定部１３０及び管理部１４０の少なくとも１つとして機能する。ＣＰＵ５００は、プログラムを実行することにより、トランザクション要求装置２００の制御部２５０として機能してもよい。
【０１９８】
ＲＡＭ５３０は、トランザクション管理装置１００における記憶部１２０として機能する。ディスプレイ５５０は、トランザクション要求装置２００における表示部２４０として機能する。通信インターフェイス５６０は、トランザクション管理装置１００における要求受信部１１０、又は、トランザクション要求装置２００における送信部２２０及び受信部２３０として機能する。入力デバイス５９０は、トランザクション要求装置２００における取得部２１０として機能する。
【０１９９】
［本実施形態の効果］
以上の通り、本実施形態によれば、トランザクション管理システム１０を導入した会社において使用することができる第１クレジット、及び、第１クレジットと異なる使用可能範囲を有する第２クレジットをユーザごとに管理するので、トランザクション管理システム１０を導入した会社及びトランザクション管理システム１０を利用する店舗がユーザを囲い込むことを可能にすると共に、ユーザが新しい商品やサービスを購入しようとする動機を高めることを可能にするという著しい効果が生じる。
【０２００】
特に、本実施形態のように、現金からの交換、及び、現金への交換の少なくとも１つが可能な第１クレジット、現金からの交換、及び、現金への交換のいずれもができない第２クレジットという２種類のクレジットを用いてトランザクションを行うことができれば、ユーザは、自分自身の現金を交換した第１クレジットと、店舗等により提供された第２クレジットとを使い分けることなく、自由に使ってトランザクションすることができるので、財布を持ち歩くことなく、各種サービス・商品を購入できるという効果が生じる。
【０２０１】
本実施形態に係る装置及びシステムによれば、カジノのように、さまざまな種類の店舗が集積された施設において大きな効果が発揮される。例えば、本実施形態に係る装置／システムが導入されたカジノ内のホテルに宿泊した顧客は、クレジットカードや現金を用いて第１クレジットにチャージし、本装置／システムに接続可能な決済カードやスマートフォンを利用して決済をできる。第１クレジットは、現金と交換できるので、運営会社の管理が及ぶ環境においては、通常の貨幣と同等の価値がある。そして、第１クレジットと第２クレジットの残高内で消費可能なので、消費過多を防ぐことにもつながるので、顧客に安心感を与えることができる。
【０２０２】
そして、カジノ運営会社あるいはカジノ内の店舗は、利用場所を限定できる第２のクレジットを顧客に発行し、カジノ内の店舗での利用を促すことができる。なぜならば、第１クレジットと第２クレジットがあれば、顧客は他のカジノに行くよりも、第１クレジットと第２クレジットを使用でき、第２クレジットで得られる金銭的価値を享受できるカジノ内で遊ぶ方が便利であり、現金を持ち歩かなくてもいいので安全だからである。
このように、第２クレジットは、第２クレジットの発行者自身の商品やサービスに消費してもらうための重要なツールとなり、ユーザを囲い込むことが可能になる。
【０２０３】
なお、第２クレジットは現金と交換できないので、運営会社は、第２クレジットを発行した時点では支出が生じない。そして、利用者（顧客）が、運営会社の戦略に則ってサービスや商品を購入した場合に支出が生じる。したがって、運営会社は、第２クレジットの額面や使用条件を戦略的に設定することで、発行時に支出することなく、高いプロモーション効果を得ることができる。
【０２０４】
また、「ポイント」が、ユーザが保有する現金と関連付けられて管理されていないのに対して、第２クレジットは、現金に交換可能な第１クレジットと一緒に管理されている。したがって、使用するたびに数値を変換する必要があるポイントと違って、ユーザが、使用可能残高を容易に把握して利用できる点で異なっている。また、トランザクションを行う場合に、第１クレジットの第１残高の使用要求額と第１残高との比較結果、及び第２クレジットの第２残高の使用要求額と第２残高との比較結果に基づいて、トランザクションの可否が判定されるので、ユーザの使用可能な金額をどのような内訳で使用するかを容易に管理することができる。
【０２０５】
また、ディスカウントを提供するクーポンと違い、第２クレジットは、発行によって使用可能な残高が増えるという点で異なっている。ディスカウントを提供するクーポンの場合、ユーザは、使用しなくてもロスがないと感じる傾向にある。これに対して、第２クレジットの残高が増えれば、ユーザは、消費可能な金銭が多いと感じるようになるので、積極的な消費行動を促すことができる。一般的に、消費額が向上すれば利益率も向上するので、第２クレジットの発行者は、クーポンよりも効果的なマーケティングを行える。
【０２０６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図１Ａ】
2013175918.tif 000003
【図１Ｂ】
2013175918.tif 000004
【図２】
2013175918.tif 000005
【図３】
2013175918.tif 000006
【図４】
2013175918.tif 000007
【図５】
2013175918.tif 000008
【図６】
2013175918.tif 000009
【図７】
2013175918.tif 000010
【図８Ａ】
2013175918.tif 000011
【図８Ｂ】
2013175918.tif 000012
【図９】
2013175918.tif 000013
【図１０Ａ】
2013175918.tif 000014
【図１０Ｂ】
2013175918.tif 000015
【図１１】
2013175918.tif 000016
【図１２】
2013175918.tif 000017
【図１３】
2013175918.tif 000018
【図１４】
2013175918.tif 000019
【図１５】
2013175918.tif 000020
【図１６Ａ】
2013175918.tif 000021
【図１６Ｂ】
2013175918.tif 000022
【図１６Ｃ】
2013175918.tif 000023
【図１６Ｄ】
2013175918.tif 000024
【図１７】
2013175918.tif 000025
【図１８】
2013175918.tif 000026
【図１９】
2013175918.tif 000027
【図２０】
2013175918.tif 000028
【図２１】
2013175918.tif 000029
【国際調査報告】
2013175918.tif 000030
2013175918.tif 000031
2013175918.tif 000032
2013175918.tif 000033